(57)【要約】      （修正有）【課題】収集プレナムと連通する冷却通路を含むタービンシュラウドを提供する。【解決手段】タービンシステム用のタービンシュラウドが開示される。タービンシュラウドは、前端部、後端部、第１および第２の側面、本体とタービンケーシングとの間に形成された冷却チャンバに面する外面、および前記タービンシステムの高温ガス流路に面する内面を含んでもよい。タービンシュラウドはまた、前端部と後端部との間で本体内に延在する少なくとも１つの収集プレナムを含んでもよい。さらに、タービンシュラウドは、本体内に延在する一組の冷却通路を含んでもよい。一組の冷却通路の各々は、冷却チャンバと流体連通する入口部分、少なくとも１つの収集プレナムと流体連通する出口部分、および入口部分と出口部分とを流体結合する中間部分を含んでもよい。【選択図】図３
2020076404.tif 000002
【特許請求の範囲】
【請求項１】
タービンシステム（１０）のタービンケーシング（３６）に結合されたタービンシュラウド（１００）であって、前記タービンシュラウド（１００）は、
本体（１０６）であって、
前端部（１０８）と、
前記前端部（１０８）の反対側に配置された後端部（１１０）と、
前記前端部（１０８）と前記後端部（１１０）との間に延在する第１の側面（１１２）と、
前記第１の側面（１１２）の反対側で、前記前端部（１０８）と前記後端部（１１０）との間に延在する第２の側面（１１８）と、
前記本体（１０６）と前記タービンケーシング（３６）との間に形成された冷却チャンバ（１２２）に面する外面（１２０）と、
前記タービンシステム（１０）の高温ガス流路に面する内面（１２４）と、
を含む本体（１０６）と、
前記前端部（１０８）と前記後端部（１１０）との間で前記本体（１０６）内に延在する少なくとも１つの収集プレナムと、
前記本体（１０６）内に延在する少なくとも一組の冷却通路（１４０）と、を含み、前記少なくとも一組の冷却通路（１４０）のうちの前記冷却通路（１４０）の各々は、
前記外面（１２０）を通って延在し、前記本体（１０６）と前記タービンケーシング（３６）との間に形成された前記冷却チャンバ（１２２）と流体連通する入口部分（１３２）と、
前記少なくとも１つの収集プレナムと流体連通する出口部分（１３６）と、
前記入口部分（１３２、２００、２１０）と前記出口部分（１３６、１３６Ａ、１３６Ｂ、１４６、１４６Ａ、１４６Ｂ、２０４、２１４）を流体結合する中間部分（１３８、１４８、２０６、２１６）と、
を含む、タービンシュラウド（１００）。
【請求項２】
前記少なくとも１つの収集プレナムは、
前記本体（１０６）の前記第１の側面（１１２）に隣接する前記本体（１０６）内に延在する第１の側面収集プレナム（１２６）と、
前記本体（１０６）の前記第２の側面（１１８）に隣接する前記本体（１０６）内に延在する第２の側面収集プレナム（１２８）と、
を含む、請求項１に記載のタービンシュラウド（１００）。
【請求項３】
前記少なくとも一組の冷却通路（１４０）は、
前記本体（１０６）の隣接する前記第１の側面（１１２）から隣接する前記第２の側面（１１８）まで延在する第１の組の冷却通路（１４０）であって、前記入口部分（１３２、２００、２１０）は、前記本体（１０６）の前記第１の側面（１１２）に隣接して配置された前記第１の組の冷却通路（１４０）の各々のためであり、前記出口部分（１３６）は、前記第２の側面収集プレナム（１２８）と流体連通する前記第１の組の冷却通路（１４０）の各々のためである、第１の組の冷却通路（１４０）と、
前記本体（１０６）の隣接する前記第２の側面（１１８）から隣接する前記第１の側面（１１２）まで延在する第２の組の冷却通路（１４０）であって、前記入口部分（１３２、２００、２１０）は、前記本体（１０６）の前記第２の側面（１１８）に隣接して配置された前記第２の組の冷却通路（１４０）の各々のためであり、前記出口部分（１３６）は、前記第１の側面収集プレナム（１２６）と流体連通する前記第２の組の冷却通路（１４０）の各々のためである、第２の組の冷却通路（１４０）と、
を含む、請求項２に記載のタービンシュラウド（１００）。
【請求項４】
前記第１の側面収集プレナム（１２６）は、前記本体（１０６）の前記第１の側面（１１２）と前記第１の組の冷却通路（１４０）の各々のための前記入口部分（１３２、２００、２１０）との間に配置され、
前記第２の側面収集プレナム（１２８）は、前記本体（１０６）の前記第２の側面（１１８）と前記第２の組の冷却通路（１４０）の各々のための前記入口部分（１３２、２００、２１０）との間に配置される、
請求項３に記載のタービンシュラウド（１００）。
【請求項５】
前記第１の側面収集プレナム（１２６）と流体連通し、前記本体（１０６）の前記後端部（１１０）または前記内面（１２４）のうちの少なくとも一方を通って延在する少なくとも１つの第１の排出孔（１５０、１５０Ａ、１５０Ｂ、１９６）と、
前記第２の側面収集プレナム（１２８）と流体連通し、前記本体（１０６）の前記後端部（１１０）または前記内面（１２４）のうちの少なくとも一方を通って延在する少なくとも１つの第２の排出孔（１５２、１５２Ａ、１５２Ｂ）と、
をさらに含む、請求項３記載のタービンシュラウド（１００）。
【請求項６】
前記少なくとも１つの第１の排出孔は、前記第１の側面収集プレナム（１２６）の内圧を決定するために、所定の直径またはテーパ形状の一方を含み、
前記少なくとも１つの第２の排出孔（１５２、１５２Ａ、１５２Ｂ）は、前記第２の側面収集プレナム（１２８）の内圧を決定するために、所定の直径またはテーパ形状の一方を含む、
請求項５に記載のタービンシュラウド（１００）。
【請求項７】
前記少なくとも１つの収集プレナムは、
前記第１の側面収集プレナム（１２６）と前記第２の側面収集プレナム（１２８）との間の前記本体（１０６）内に延在する中央収集プレナム（１９４）
をさらに含む、請求項５に記載のタービンシュラウド（１００）。
【請求項８】
前記少なくとも一組の冷却通路（１４０）は、
前記本体（１０６）の隣接する前記第１の側面（１１２）から隣接する前記中央収集プレナム（１９４）まで延在する第３の組の冷却通路（１４０）であって、前記入口部分（１３２、２００、２１０）は、前記第１の側面（１１２）に隣接して配置された前記第３の組の冷却通路（１４０）の各々のためであり、前記出口部分（１３６）は、前記中央収集プレナム（１９４）と流体連通する前記第３の組の冷却通路（１４０）の各々のためである、第３の組の冷却通路（１４０）と、
前記本体（１０６）の隣接する前記第２の側面（１１８）から隣接する前記中央収集プレナム（１９４）まで延在する第４の組の冷却通路（１４０）であって、前記入口部分（１３２、２００、２１０）は、前記第２の側面（１１８）に隣接して配置された前記第４の組の冷却通路（１４０）の各々のためであり、前記出口部分（１３６）は、前記中央収集プレナム（１９４）と流体連通する前記第４の組の冷却通路（１４０）の各々のためである、第４の組の冷却通路（１４０）と、
を含む、請求項７に記載のタービンシュラウド（１００）。
【請求項９】
前記少なくとも一組の冷却通路（１４０）は、
前記本体（１０６）の隣接する前記第１の側面（１１２）から隣接する前記第２の側面（１１８）まで延在し、前記第１の側面（１１２）に戻る第１の組の冷却通路（１４０）であって、前記入口部分（１３２）は、前記第１の側面（１１２）に隣接して配置された前記第１の組の冷却通路（１４０）の各々のためであり、前記出口部分（１３６）は、前記第１の側面収集プレナム（１２６）と流体連通する前記第１の組の冷却通路（１４０）の各々のためである、第１の組の冷却通路（１４０）と、
前記本体（１０６）の隣接する前記第２の側面（１１８）から隣接する前記第１の側面（１１２）まで延在し、前記第２の側面（１１８）に戻る第２の組の冷却通路（１４０）であって、前記入口部分（１３２）は、前記第２の側面（１１８）に隣接して配置された前記第２の組の冷却通路（１４０）の各々のためであり、前記出口部分（１３６）は、前記第２の側面収集プレナム（１２６）と流体連通する前記第２の組の冷却通路（１４０）の各々のためである、第２の組の冷却通路（１４０）と、
を含む、請求項２に記載のタービンシュラウド（１００）。
【請求項１０】
前記少なくとも１つの収集プレナムは、
前記本体（１０６）の前記第１の側面（１１２）と前記本体（１０６）の前記第２の側面（１１８）との間で前記本体（１０６）内に延在する中央収集プレナム（１９４）
を含む、請求項１に記載のタービンシュラウド（１００）。
【発明の詳細な説明】
【技術分野】
【０００１】
本開示は、一般に、タービンシステム用のタービンシュラウドに関し、より具体的には、内部に形成された収集プレナムと流体連通する複数の冷却通路を含むタービンシュラウドに関する。
【背景技術】
【０００２】
ガスタービンシステムなどの従来のターボ機械は、発電機のための動力を生成するために利用される。一般に、ガスタービンシステムは、ガスタービンシステムのタービン構成要素に流体（例えば、高温ガス）を通すことによって動力を生成する。より具体的には、吸入空気は、圧縮機に引き込まれて圧縮され得る。圧縮されると、吸入空気は燃料と混合されて燃焼生成物を形成し、燃焼生成物はガスタービンシステムの燃焼器によって点火されてガスタービンシステムの作動流体（例えば、高温ガス）を形成することができる。次に流体は、動力を生成するために、タービン構成要素の複数の回転ブレードおよびロータまたはシャフトを回転させるために流体流路を通って流れることができる。流体は、複数の回転ブレードと、回転ブレードの間に配置された複数の固定ノズルまたはベーンを介して、タービン構成要素を通して導くことができる。複数の回転ブレードがガスタービンシステムのロータを回転させると、ロータに結合された発電機は、ロータの回転から電力を生成することができる。
【０００３】
動作効率を改善するために、タービン構成要素は、タービンシュラウドおよび／またはノズルバンドを含み、作動流体の流路をさらに画定することができる。タービンシュラウドは、例えば、タービン構成要素の回転ブレードに半径方向に隣接して配置することができ、タービン構成要素内に作動流体を導き、かつ／または作動流体の流体流路の外側境界を画定することができる。動作中、タービンシュラウドは、タービン構成要素を通って流れる高温の作動流体に曝される場合がある。時間の経過と共に、および／または曝露中に、タービンシュラウドは、望ましくない熱膨張を受ける可能性がある。場合によっては、タービンシュラウドの熱膨張によりシュラウドの寿命が短くなる可能性があり、および／または作動流体の流体流路を画定するためのタービン部品内のシール形成が妨げられる可能性がある。時間の経過と共に、シュラウドの熱膨張が繰り返されると、作動流体が流路から漏れる可能性があり、その結果、タービン部品およびタービンシステム全体の動作効率が低下する場合がある。
【０００４】
熱膨張を最小限に抑えるため、通常、タービンシュラウドは冷却される。タービンシュラウドを冷却するための従来のプロセスは、衝突冷却を含む。衝突冷却は、タービンシュラウドを通して形成された孔または開口部を利用して、動作中にタービンシュラウドの様々な部分に冷却空気を提供する。しかし、従来の衝突冷却は、システム内に含まれる構成要素の縁部付近など、より厚い壁および／または追加の構造を必要とするシステムの場所では使用できないかまたは効率的でない場合がある。
【発明の概要】
【０００５】
本開示の第１の態様は、タービンシステムのタービンケーシングに結合されたタービンシュラウドを提供する。タービンシュラウドは、前端部と、前記前端部の反対側に配置された後端部と、前記前端部と前記後端部との間に延在する第１の側面と、前記第１の側面の反対側で、前記前端部と前記後端部との間に延在する第２の側面と、前記本体と前記タービンケーシングとの間に形成された冷却チャンバに面する外面と、前記タービンシステムの高温ガス流路に面する内面と、を含み、前記前端部と前記後端部との間で前記本体内に延在する少なくとも１つの収集プレナムと、前記本体内に延在する少なくとも一組の冷却通路と、を含み、前記少なくとも一組の冷却通路のうちの前記冷却通路の各々は、前記外面を通って延在し、前記本体と前記タービンケーシングとの間に形成された前記冷却チャンバと流体連通する入口部分と、前記少なくとも１つの収集プレナムと流体連通する出口部分と、前記入口部分と前記出口部分を流体結合する中間部分と、を含む。
【０００６】
本開示の第２の態様は、タービンシステムのタービンケーシングに結合されたタービンシュラウドを提供する。タービンシュラウドは、本体であって、前端部と、前記前端部の反対側に配置された後端部と、前記前端部と前記後端部との間に延在する第１の側面と、前記第１の側面の反対側で、前記前端部と前記後端部との間に延在する第２の側面と、前記本体と前記タービンケーシングとの間に形成された冷却チャンバに面する外面と、前記タービンシステムの高温ガス流路に面する内面と、を含む本体と、第１の側面と第２の側面との間で前記本体内に延在する少なくとも１つの収集プレナムと、前記本体内に延在する少なくとも一組の冷却通路と、を含み、前記少なくとも一組の冷却通路のうちの前記冷却通路の各々は、前記外面を通って延在し、前記本体と前記タービンケーシングとの間に形成された前記冷却チャンバと流体連通する入口部分と、前記少なくとも１つの収集プレナムと流体連通する出口部分と、前記入口部分と前記出口部分を流体結合する中間部分と、を含む。
【０００７】
本開示の例示的な態様は、本明細書で説明される問題および／または検討されていない他の問題を解決するように設計される。
【０００８】
本開示のこれらのおよび他の特徴は、本開示の様々な実施形態を示す添付の図面と併せて、本開示の様々な態様の以下の詳細な説明から、より容易に理解されよう。
【図面の簡単な説明】
【０００９】
【図１】本開示の実施形態による、ガスタービンシステムの概略図である。
【図２】本開示の実施形態による、タービンブレード、ステータベーン、ロータ、ケーシング、およびタービンシュラウドを含む図１のガスタービンシステムのタービンの一部の側面図である。
【図３】本開示の実施形態による、図２のタービンシュラウドの等角図である。
【図４】本開示の実施形態による、少なくとも１つの収集プレナムを含む図３のタービンシュラウドの上面図である。
【図５】本開示の実施形態による、図４の線５−５に沿ったタービンシュラウドの断面側面図である。
【図６】本開示の実施形態による、図４の線６−６に沿ったタービンシュラウドの断面側面図である。
【図７】本開示の追加の実施形態による、損傷開口部および損傷した冷却通路を含むタービンシュラウドの上面図である。
【図８】本開示の実施形態による、図３のタービンシュラウドの上面図である。
【図９】本開示の追加の実施形態による、図８の線９−９に沿ったタービンシュラウドの断面側面図である。
【図１０】本開示の追加の実施形態による、図８の線１０−１０に沿ったタービンシュラウドの断面側面図である。
【図１１】本開示のさらなる実施形態による、図３のタービンシュラウドの上面図である。
【図１２】本開示の実施形態による、少なくとも１つの結合導管を含む図３のタービンシュラウドの上面図である。
【図１３】本開示の実施形態による、少なくとも１つの結合導管を含む図３のタービンシュラウドの上面図である。
【図１４】本開示の実施形態による、少なくとも１つの結合導管を含む図３のタービンシュラウドの上面図である。
【図１５】本開示の実施形態による、収集プレナムに形成された壁を含む図３のタービンシュラウドの上面図である。
【図１６】本開示の実施形態による、図１５の線１６−１６に沿ったタービンシュラウドの断面側面図である。
【図１７】本開示の実施形態による、図１５の線１７−１７に沿ったタービンシュラウドの断面側面図である。
【図１８】本開示の追加の実施形態による、収集プレナムに形成された壁を含む図３のタービンシュラウドの上面図である。
【図１９】本開示の追加の実施形態による、図１８の線１９−１９に沿ったタービンシュラウドの断面側面図である。
【図２０】本開示の追加の実施形態による、図１８の線２０−２０に沿ったタービンシュラウドの断面側面図である。
【図２１】本開示の実施形態による、収集プレナムに形成された支持ピンを含む図３のタービンシュラウドの上面図である。
【図２２】本開示の実施形態による、図２１の線２２−２２に沿ったタービンシュラウドの断面側面図である。
【図２３】本開示の追加の実施形態による、収集プレナムに形成された支持ピンを含む図３のタービンシュラウドの上面図である。
【図２４】本開示の実施形態による、図２３の線２４−２４に沿ったタービンシュラウドの断面側面図である。
【図２５】本開示の実施形態による、中央収集プレナムを含む図３のタービンシュラウドの上面図である。
【図２６】本開示の実施形態による、図２５の線２６−２６に沿ったタービンシュラウドの断面側面図である。
【図２７】本開示の実施形態による、図２５の線２７−２７に沿ったタービンシュラウドの断面側面図である。
【図２８】本開示の実施形態による、２つの側面収集プレナムおよび中央収集プレナムを含む図３のタービンシュラウドの上面図を示す。
【図２９】本開示の実施形態による、図２８の線２９−２９に沿ったタービンシュラウドの断面側面図である。
【図３０】本開示の実施形態による、図２８の線３０−３０に沿ったタービンシュラウドの断面側面図である。
【図３１】本開示の実施形態による、前方収集プレナム、後方収集プレナム、および中間収集プレナムを含む図３のタービンシュラウドの上面図である。
【図３２】本開示の実施形態による、前方収集プレナムおよび後方収集プレナムを含む図３のタービンシュラウドの上面図である。
【図３３】本開示の実施形態による、中間収集プレナムを含む図３のタービンシュラウドの上面図である。
【発明を実施するための形態】
【００１０】
本開示の図面は、原寸に比例していないことに留意されたい。図面は、本開示の典型的な態様だけを示すことを目的としており、したがって、本開示の範囲を限定するものとみなすべきではない。図面では、図面間で類似する符号は、類似する要素を表す。
【００１１】
最初の問題として、本開示を明確に説明するために、本開示の範囲内の関連する機械構成要素を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載され得るものは、単一の部品として他の場所で参照されてもよい。
【００１２】
さらに、本明細書ではいくつかの記述的用語を規則通りに使用することができ、この部分の開始時にこれらの用語を定義することが有用であることがわかる。これらの用語およびその定義は、別途記載のない限り、以下の通りである。本明細書で使用する場合、「下流」および「上流」とは、タービンエンジンを通る作動流体または、例えば、燃焼器を通る空気の流れ、またはタービンの構成要素システムの１つを通る冷却剤などの流体の流れに対する方向を示す用語である。「下流」という用語は、流体の流れの方向に相当し、「上流」という用語は、流れの反対の方向を指す。「前方」および「後方」という用語は、別途指定のない限り、方向を指し、「前方」はエンジンの前方または圧縮機端部を指し、「後方」はエンジンの後方またはタービン端部を指す。加えて、「先導する」および「後続する」という用語は、それぞれ、「前方」および「後方」という用語と同様の記述で使用され、および／または理解することができる。多くの場合、異なる半径方向、軸方向および／または円周方向の位置にある部分を記述することが要求される。「Ａ」軸は、軸方向を表す。本明細書で使用する場合、「軸方向の」および／または「軸方向に」という用語は、タービンシステム（特に、ロータ部分）の回転軸と実質的に平行な軸Ａに沿った物体の相対的な位置／方向を指す。さらに本明細書で使用する場合、「半径方向の」および／または「半径方向に」という用語は、軸Ａと実質的に垂直でありかつただ１つの場所において軸Ａと交差する方向「Ｒ」（図１参照）に沿った物体の相対的な位置／方向を指す。最後に、「円周方向の」という用語は、軸Ａの周りの移動または位置を指す（例えば、方向「Ｃ」）。
【００１３】
上述したように、本開示は、タービンシステム用のタービンシュラウドを提供し、より具体的には、内部に形成された収集プレナムと流体連通する複数の冷却通路を含むタービンシュラウドを提供する。
【００１４】
これらおよび他の実施形態は、図１〜図３３を参照して以下に説明される。しかし、当業者であれば、これらの図に関して本明細書に与えられた詳細な説明は例示のためのものであり、限定するものとして解釈すべきではないことを容易に理解するであろう。
【００１５】
図１は、例示的なガスタービンシステム１０の概略図を示す。ガスタービンシステム１０は、圧縮機１２を含むことができる。圧縮機１２は、流入する空気１８の流れを圧縮する。圧縮機１２は、圧縮空気２０の流れを燃焼器２２に送達する。燃焼器２２は、圧縮空気２０の流れを加圧された燃料２４の流れと混合し、この混合物に点火して燃焼ガス２６の流れを生成する。単一の燃焼器２２のみが示されているが、ガスタービンシステム１０は、任意の数の燃焼器２２を含むことができる。次いで、燃焼ガス２６の流れは、通常は翼形部（図２参照）およびステータベーン（図２参照）を含む複数のタービンブレードを含むタービン２８に送達される。燃焼ガス２６の流れは、タービン２８、より具体的にはタービン２８の複数のタービンブレードを駆動し、機械的仕事を発生させる。タービン２８で発生された機械的仕事は、タービン２８を通って延在するロータ３０を介して圧縮機１２を駆動し、発電機などの外部負荷３２を駆動するために使用することができる。
【００１６】
ガスタービンシステム１０はまた、排気フレーム３４を含むことができる。図１に示すように、排気フレーム３４は、ガスタービンシステム１０のタービン２８に隣接して配置されてもよい。より具体的には、排気フレーム３４は、タービン２８に隣接して配置されてもよく、タービン２８の、および／または燃焼器２２からタービン２８に流れる燃焼ガス２６の流れの実質的に下流に配置されてもよい。本明細書で説明するように、排気フレーム３４の一部（例えば、外側ケーシング）は、タービン２８のエンクロージャ、シェル、またはケーシング３６に直接結合することができる。
【００１７】
燃焼ガス２６が流れてタービン２８を駆動した後に、燃焼ガス２６は、排気フレーム３４を通って流れ方向（Ｄ）に排気、流入および／または排出され得る。図１に示す非限定的な例では、燃焼ガス２６は、流れ方向（Ｄ）に排気フレーム３４を通って流れることができ、ガスタービンシステム１０から（例えば、大気に）排出され得る。ガスタービンシステム１０が複合サイクル発電プラント（例えば、ガスタービンシステムおよび蒸気タービンシステムを含む）の一部である別の非限定的な例では、燃焼ガス２６は、排気フレーム３４から排出され得、流れ方向（Ｄ）で複合サイクル発電プラントの熱回収蒸気発生器に流入してもよい。
【００１８】
図２を参照すると、タービン２８の一部が示されている。具体的には、図２は、タービンブレード３８の第１の段（１つを示す）、およびタービン２８のケーシング３６に結合されたステータベーン４０の第１の段（１つを示す）を含むタービン２８の一部の側面図を示す。本明細書で説明するように、タービンブレード３８の各段（例えば、第１の段、第２の段（図示せず）、第３の段（図示せず））は、ロータ３０に結合されてその周囲に円周方向に配置され、かつ燃焼ガス２６によって駆動されてロータ３０を回転させることができる複数のタービンブレード３８を含んでもよい。加えて、ステータベーン４０の各段（例えば、第１の段、第２の段（図示せず）、第３の段（図示せず））は、タービン２８のケーシング３６に結合されてその周りに円周方向に配置され得る複数のステータベーンを含んでもよい。図２に示す非限定的な例では、ステータベーン４０は、ステータベーン４０をタービン２８のケーシング３６に隣接および／または結合する外側プラットフォーム４２、外側プラットフォーム４２の反対側に位置する内側プラットフォーム４４、ならびに外側プラットフォーム４２と内側プラットフォーム４４との間に配置された翼形部４５を含んでもよい。ステータベーン４０の外側プラットフォーム４２および内側プラットフォーム４４は、ステータベーン４０の上を流れる燃焼ガス２６の流路（ＦＰ）を画定することができる。
【００１９】
タービン２８の各タービンブレード３８は、ロータ３０から半径方向に延在し、タービン２８を通って流れる燃焼ガス２６の流路（ＦＰ）内に配置された翼形部４６を含むことができる。各翼形部４６は、ロータ３０の半径方向反対側に配置された先端部分４８を含むことができる。タービンブレード３８およびステータベーン４０はまた、ケーシング３６内で互いに軸方向に隣接して配置されてもよい。図２に示す非限定的な例では、ステータベーン４０の第１の段は、タービンブレード３８の第１の段の軸方向に隣接して下流に配置されてもよい。明確化のために、タービン２８のすべてのタービンブレード３８、ステータベーン４０および／またはロータ３０のすべてが示されているわけではない。加えて、タービンブレード３８の第１の段およびタービン２８のステータベーン４０の一部のみが図２に示されているが、タービン２８は、タービン２８のケーシング３６全体にわたって軸方向に配置された、複数の段のタービンブレードおよびステータベーンを含むことができる。
【００２０】
ガスタービンシステム１０のタービン２８（図１参照）はまた、複数のタービンシュラウド１００を含むことができる。例えば、タービン２８は、タービンシュラウド１００の第１の段（１つを示す）を含むことができる。タービンシュラウド１００の第１の段は、タービンブレード３８の第１の段および／またはステータベーン４０の第１の段と対応してもよい。すなわち、本明細書で説明するように、タービンシュラウド１００の第１の段は、タービンブレード３８の第１の段および／またはステータベーン４０の第１の段に隣接するタービン２８内に配置され、タービン２８を通って流れる燃焼ガス２６の流路（ＦＰ）と相互作用してシールを提供することができる。図２に示す非限定的な例では、タービンシュラウド１００の第１の段は、タービンブレード３８の第１の段に半径方向に隣接して配置することができ、かつ／または実質的に包囲もしくは取り囲むことができる。タービンシュラウド１００の第１の段は、タービンブレード３８の翼形部４６の先端部分４８に半径方向に隣接して配置されてもよい。加えて、タービンシュラウド１００の第１の段はまた、タービン２８のステータベーン４０の第１の段に軸方向に隣接しておよび／または上流に配置されてもよい。
【００２１】
ステータベーン４０と同様に、タービンシュラウド１００の第１の段は、タービン２８のケーシング３６に結合され、その周りに円周方向に配置され得る複数のタービンシュラウド１００を含むことができる。図２に示す非限定的な例では、タービンシュラウド１００は、タービン２８のケーシング３６から半径方向内向きに延在する結合構成要素５０を介してケーシング３６に結合されてもよい。結合構成要素５０は、タービンシュラウド１００の締結具またはフック１０２、１０４（図３）に結合されおよび／またはそれらを受け取り、タービンシュラウド１００をタービン２８のケーシング３６に結合、配置、および／または固定するように構成することができる。非限定的な例では、結合構成要素５０は、タービン２８のケーシング３６に結合および／または固定されてもよい。別の非限定的な例（図示せず）では、結合構成要素５０は、タービンシュラウド１００をケーシング３６に結合、配置、および／または固定するためにケーシング３６と一体に形成されてもよい。タービンブレード３８および／またはステータベーン４０と同様に、タービン２８のタービンシュラウド１００の第１の段の一部のみが図２に示されているが、タービン２８は、タービン２８のケーシング３６全体にわたって軸方向に配置された、タービンシュラウド１００の複数の段を含むことができる。
【００２２】
図３〜図６を参照すると、図１のガスタービンシステム１０のタービン２８のタービンシュラウド１００の様々な図が示されている。具体的には、図３はタービンシュラウド１００の等角図を示し、図４はタービンシュラウド１００の上面図を示し、図５は図４の線５−５に沿ったタービンシュラウド１００の断面側面図を示し、図６は図４の線６−６に沿ったタービンシュラウド１００の断面側面図を示す。
【００２３】
タービンシュラウド１００は、本体１０６を含むことができる。図３〜図６に示す非限定的な例では、タービンシュラウド１００は、タービンシュラウド１００が単一の連続した、および／または分離されていない構成要素または部品であるように、単一本体１０６を含むおよび／または単一本体１０６として形成することができる。図３〜図６に示す非限定的な例では、タービンシュラウド１００が単一本体１０６から形成されるため、タービンシュラウド１００は、タービンシュラウド１００を完全に形成するための様々な部分の構築、接合、結合、および／または組み立てを必要としなくてもよく、および／またはタービンシュラウド１００がタービンシステム１０内に設置および／または実装され得る前に様々な部分の構築、接合、結合、および／または組み立てを必要としなくてもよい（図２参照）。むしろ、本明細書で説明するように、タービンシュラウド１００の単一の、連続した、および／または分離されていない単一本体１０６が構築されると、タービンシュラウド１００は、タービンシステム１０内にすぐに設置することができる。
【００２４】
非限定的な例では、タービンシュラウド１００の単一本体１０６、ならびにタービンシュラウド１００の様々な構成要素および／または特徴は、任意の適切な積層造形プロセスおよび／または方法を使用して形成することができる。例えば、単一本体１０６を含むタービンシュラウド１００は、直接金属レーザ溶融（ＤＭＬＭ）（選択的レーザ溶融（ＳＬＭ）とも呼ばれる）、直接金属レーザ焼結（ＤＭＬＳ）、電子ビーム溶融（ＥＢＭ）、ステレオリソグラフィ（ＳＬＡ）、バインダ噴射、または任意の他の適切な積層造形プロセスによって形成されてもよい。加えて、タービンシュラウド１００の単一本体１０６は、タービンシュラウド１００を形成するために積層造形プロセスによって利用され得る、および／または動作中にガスタービンシステム１０内のタービンシュラウド１００が経験する動作特性（例えば、曝露温度、曝露圧力など）に耐えることが可能であり得る任意の材料から形成することができる。
【００２５】
別の非限定的な例では、タービンシュラウド１００の本体１０６は、複数のおよび／または別個の部分もしくは構成要素として形成されてもよい。例えば、本明細書で説明するように、タービンシュラウド１００の本体１０６は、フック１０２、１０４および内面を含むことができる第１の構成要素、ならびにタービンシュラウド１００の上面を含むことができる第２の構成要素から形成することができる。タービンシュラウド１００の本体１０６を形成する２つの構成要素は、ガスタービンシステム１０内のタービン２８に設置される前に、互いに接合、結合、および／または固定されてタービンシュラウド１００を形成することができる。本体１０６を形成する各構成要素、ならびにタービンシュラウド１００の様々な構成要素および／または特徴は、任意の適切な製造プロセスおよび／または方法を使用して形成することができる。例えば、２つの別個の構成要素を含む本体１０６を含むタービンシュラウド１００は、フライス加工、旋削、切削、鋳造、成形、穿孔などによって形成することができる。
【００２６】
タービンシュラウド１００はまた、様々な端部、側面、および／または表面を含むことができる。例えば、図３および図４に示すように、タービンシュラウド１００の本体１０６は、前端部１０８と、前端部１０８の反対側に配置された後端部１１０と、を含むことができる。前端部１０８は、タービン２８内に画定された流路（ＦＰ）を通って流れる燃焼ガス２６が、タービンシュラウド１００の本体１０６の隣接する後端部１１０を流れる前に隣接する前端部１０８を流れることができるように、後端部１１０の上流に配置されてもよい。図３および図４に示すように、前端部１０８は、タービン２８がケーシング３６内でタービンシュラウド１００を結合、配置、および／または固定するようにするために（図２参照）、ケーシング３６の結合構成要素５０に結合および／または係合するように構成された第１のフック１０２を含むことができる。加えて、後端部１１０は、第１のフック１０２の反対側の本体１０６に配置および／または形成された第２のフック１０４を含むことができる。第１のフック１０２と同様に、第２のフック１０４は、タービン２８がケーシング３６内でタービンシュラウド１００を結合、配置、および／または固定するようにするために（図２参照）、ケーシング３６の結合構成要素５０に結合および／または係合するように構成され得る。
【００２７】
加えて、タービンシュラウド１００の本体１０６はまた、第１の側面１１２と、第１の側面１１２の反対側に配置された第２の側面１１８とを含むことができる。図３および図４に示すように、第１の側面１１２および第２の側面１１８は、前端部１０８と後端部１１０との間に延在および／または形成されてもよい。本体１０６の第１の側面１１２および第２の側面１１８は、実質的に閉じていてもよく、および／または中実の端壁またはキャップを含んでもよい。したがって、本明細書で説明するように、第１の側面１１２および第２の側面１１８の中実端壁は、タービン２８内の流体（例えば、燃焼ガス２６、冷却流体）がタービンシュラウド１００に入ること、ならびに／あるいは冷却流体が第１の側面１１２および／または第２の側面１１８を介してタービンシュラウド１００内に形成された内側部分（例えば、通路、プレナム）から出るのを実質的に防止することができる。
【００２８】
図３〜図５に示すように、タービンシュラウド１００の本体１０６はまた、外面１２０を含むことができる。外面１２０は、本体１０６とタービンケーシング３６との間に形成された冷却チャンバ１２２に面することができる（図２参照）。より具体的には、外面１２０は、タービンシュラウド１００の本体１０６とタービン２８のタービンケーシング３６との間に形成された冷却チャンバ１２２に配置、形成、対面、および／または直接露出することができる。本明細書で説明するように、タービンシュラウド１００の本体１０６とタービンケーシング３６との間に形成された冷却チャンバ１２２は、タービン２８の動作中に冷却流体を受け取り、かつ／またはタービンシュラウド１００に提供することができる。冷却チャンバ１２２に面することに加えて、タービンシュラウド１００の本体１０６の外面１２０はまた、それぞれ前端部１０８と後端部１１０との間、ならびに第１の側面１１２と第２の側面１１８との間に形成および／または配置されてもよい。
【００２９】
タービンシュラウド１００の本体１０６はまた、外面１２０の反対側に形成された内面１２４を含むことができる。すなわち、図３、図５および図６の非限定的な例に示すように、タービンシュラウド１００の本体１０６の内面１２４は、外面１２０の半径方向反対側に形成されてもよい。図２に簡単に戻り、図３、図５および図６を引き続き参照すると、内面１２４は、タービン２８を通って流れる燃焼ガス２６の高温ガス流路（ＦＰ）に面することができる（図２参照）。より具体的には、内面１２４は、ガスタービンシステム１０のタービン２８のタービンケーシング３６を通って流れる燃焼ガス２６の高温ガス流路（ＦＰ）に配置、形成、対面、および／または直接露出することができる。加えて、図２に示すように、タービンシュラウド１００の本体１０６の内面１２４は、翼形部４６の先端部分４８に半径方向に隣接して配置されてもよい。燃焼ガス２６の高温ガス流路（ＦＰ）に面することに加えて、外面１２０と同様に、タービンシュラウド１００の本体１０６の内面１２４はまた、それぞれ前端部１０８と後端部１１０との間、ならびに第１の側面１１２と第２の側面１１８との間に形成および／または配置されてもよい。
【００３０】
図４〜図６を参照して、タービンシュラウド１００の追加の特徴をここで説明する。タービンシュラウド１００は、本体１０６内に延在する少なくとも１つの収集プレナムを含むことができる。図４および図５に示す非限定的な例では、タービンシュラウド１００は、第１の側面収集プレナム１２６を含むことができる。第１の側面収集プレナム１２６は、本体１０６内で前端部１０８から後端部１１０まで延在してもよい。さらに、第１の側面収集プレナム１２６は、本体１０６の第１の側面１１２に隣接するおよび／または実質的に平行な本体１０６内に延在してもよい。簡単に図５を参照すると、第１の側面収集プレナム１２６は、本体１０６の外面１２０と内面１２４との間の本体１０６内に延在してもよい。
【００３１】
さらに、図４および図６に示す非限定的な例に示すように、タービンシュラウド１００はまた、第２の側面収集プレナム１２８を含むことができる。第２の側面収集プレナム１２８は、第１の側面収集プレナム１２６の反対側の本体１０６に形成されてもよい。すなわち、第２の側面収集プレナム１２８は、本体１０６内で前端部１０８から後端部１１０まで延在してもよく、本体１０６の第２の側面１１８に隣接および／または実質的に平行に延在してもよい。簡単に図６を参照すると、第１の側面収集プレナム１２６と同様に、第２の側面収集プレナム１２８は、本体１０６の外面１２０と内面１２４との間で本体１０６内に延在してもよい。
【００３２】
タービンシュラウド１００はまた、ガスタービンシステム１０のタービン２８の動作中にタービンシュラウド１００を冷却するために内部に形成された少なくとも一組の冷却通路を含むことができる。図４に示すように、タービンシュラウド１００は、タービンシュラウド１００の本体１０６内に形成、配置、および／または延在する第１の組の冷却通路１３０を含んでもよい。より具体的には、タービンシュラウド１００の第１の組の冷却通路１３０（図４に仮想線で示す）は、第１の側面１１２と第２の側面１１８との間および／または第１の側面１１２から第２の側面１１８までの本体１０６内に延在してもよい。タービンシュラウド１００の本体１０６内に延在する第１の組の冷却通路１３０は、その中に形成された複数の冷却通路を含むことができる。第１の組の冷却通路１３０は、本体１０６内に延在する１０個の冷却通路を含むように示されているが、タービンシュラウド１００の第１の組の冷却通路１３０は、より多くのまたはより少ない冷却通路を含んでもよいことが理解される。非限定的な例に示されている冷却通路の数は例示である。
【００３３】
第１の組の冷却通路１３０は、複数の別個の部分および／または部分を含んでもよい。例えば、第１の組の冷却通路１３０の各冷却通路は、タービンシュラウド１００の本体１０６の第１の側面１１２に隣接して配置および／または形成された入口部分１３２を含んでもよい。加えて、図４に示すように、第１の組の冷却通路１３０の各々の入口部分１３２は、第１の側面収集プレナム１２６に隣接して配置および／または形成されてもよい。非限定的な例では、第１の側面収集プレナム１２６は、第１の組の冷却通路１３０の各々について、本体１０６の第１の側面１１２と入口部分１３２との間の本体１０６内に配置および／または形成される。第１の組の冷却通路１３０の入口部分１３２は、タービンシュラウド１００の本体１０６の外面１２０を通って延在してもよい。より具体的には、入口部分１３２は、本体１０６の外面１２０を通って延在および／または形成することができ、本体１０６とタービンケーシング３６の間に形成される冷却チャンバ１２２と流体連通することができる（図２参照）。本明細書で説明するように、第１の組の冷却通路１３０の入口部分１３２は、冷却チャンバ１２２と流体連通して、タービンシュラウド１００を冷却するために冷却流体を受け取ることができる。
【００３４】
図４に示す非限定的な例では、入口部分１３２はまた、フック形状部分１３４を含んでもよい。入口部分１３２のフック形状部分１３４は、フックおよび／またはターンの向きまたは湾曲を含むことができ、および／または所定のターン半径を含むことができる。例えば、フック形状部分１３４は、最初に第１の側面１１２に向かって延びてもよく、その後に、後端部１１０に向かってターンしてもよく、そして第２の側面１１８に向かって延びてもよい。入口部分１３２のフック形状部分１３４の向きまたは湾曲により、第１の組の冷却通路１３０のより多くの冷却通路を本体１０６内に配置、形成、および／または延在させることができる。加えて、フック形状部分１３４は、タービンシュラウド１００に形成された第１の組の冷却通路１３０の各々の長さを増加させることにより、第１の側面１１２に隣接する本体１０６内により大きな冷却領域を提供することができる。加えて、フック形状部分１３４は、タービンシュラウド１００に形成された第１の組の冷却通路１３０の各々の追加部分（例えば、中間部分）のより良い間隔を可能にすることができる。追加の非限定的な例では、フック形状部分１３４を調整して、第１の組の冷却通路１３０の各々の間隔を改善し、第１の組の冷却通路１３０を高熱ゾーンのタービンシュラウド１００により集中させ、かつ／またはより近接して形成することができる。
【００３５】
第１の組の冷却通路１３０の各冷却通路はまた、出口部分１３６を含んでもよい。図４に示す非限定的な例では、出口部分１３６は、タービンシュラウド１００の本体１０６の第２の側面１１８に隣接して配置および／または形成されてもよい。さらに、図４に示すように、第１の組の冷却通路１３０の各々の出口部分１３６は、第２の側面収集プレナム１２８に隣接して配置および／または形成されてもよい。したがって、第２の側面収集プレナム１２８は、第１の組の冷却通路１３０の各々について、本体１０６の第２の側面１１８と出口部分１３６との間の本体１０６内に配置および／または形成される。簡潔に図５を参照し、引き続き図４を参照すると、第１の組の冷却通路１３０の各々の出口部分１３６は、第２の側面収集プレナム１２８と流体連通することができる。本明細書で説明するように、第１の組の冷却通路１３０の出口部分１３６は、タービンシュラウド１００を冷却するときに第１の組の冷却通路１３０を通って第２の側面収集プレナム１２８に流れる冷却流体を提供または排出するために第２の側面収集プレナム１２８と流体連通することができる。
【００３６】
図４に示すように、第１の組の冷却通路１３０の各々はまた、中間部分１３８を含んでもよい。中間部分１３８は、第１の組の冷却通路１３０の入口部分１３２と出口部分１３６とを流体結合することができる。すなわち、中間部分１３８は、入口部分１３２と出口部分１３６との間のタービンシュラウド１００の本体１０６内に形成および／または延在して、入口部分１３２と出口部分１３６とを流体結合することができる。加えて、中間部分１３８は、第１の側面１１２と第２の側面１１８との間の本体１０６内に延在し、および／または本体１０６全体にまたがってもよい。図４に示す非限定的な例では、第１の組の冷却通路１３０の各々の中間部分１３８は、入口部分１３２と出口部分１３６との間に延在する場合に実質的に直線状であってもよい。
【００３７】
図４に示す非限定的な例では、タービンシュラウド１００は、タービンシュラウド１００の本体１０６内に形成、配置、および／または延在する第２の組の冷却通路１４０を含んでもよい。より具体的には、タービンシュラウド１００の第２の組の冷却通路１４０（図４に仮想線で示す）は、第２の側面１１８と第１の側面１１２との間および／または第２の側面１１８から第１の側面１１２までの本体１０６内に延在してもよい。タービンシュラウド１００の本体１０６内に延在する第２の組の冷却通路１４０は、その中に形成された複数の冷却通路を含むことができる。第１の組の冷却通路１３０と同様に、第２の組の冷却通路１４０の非限定的な例に含まれる冷却通路の数は例示である。さらに、第２の組の冷却通路１４０は、第１の組の冷却通路１３０の冷却通路の数と同じ、より多い、またはより少ない冷却通路を含んでもよい。
【００３８】
第１の組の冷却通路１３０と同様に、第２の組の冷却通路１４０は、複数の別個の部分および／または一部を含んでもよい。例えば、第２の組の冷却通路１４０の各冷却通路は、タービンシュラウド１００の本体１０６の第２の側面１１８に隣接して配置および／または形成された入口部分１４２を含んでもよい。さらに、図４に示すように、第２の組の冷却通路１４０の各々の入口部分１４２は、第２の側面収集プレナム１２８に隣接して配置および／または形成されてもよい。非限定的な例では、第２の側面収集プレナム１２８は、第２の組の冷却通路１４０の各々について、本体１０６の第２の側面１１８と入口部分１４２との間の本体１０６内に配置および／または形成される。第２の組の冷却通路１４０の入口部分１４２は、タービンシュラウド１００の本体１０６の外面１２０を通って延在してもよい。より具体的には、入口部分１４２は、本体１０６の外面１２０を通って延在および／または形成することができ、本体１０６とタービンケーシング３６の間に形成される冷却チャンバ１２２と流体連通することができる（図２参照）。本明細書で説明するように、第２の組の冷却通路１４０の入口部分１４２は、冷却チャンバ１２２と流体連通して、タービンシュラウド１００を冷却するために冷却流体を受け取ることができる。
【００３９】
図４に示す非限定的な例では、入口部分１４２はまた、フック形状部分１４４を含んでもよい。入口部分１４２のフック形状部分１４４は、第１の組の冷却通路１３０の入口部分１３２のフック形状部分１３４と同様に、フックおよび／またはターンの向きまたは湾曲を含むことができ、および／または所定のターン半径を含むことができる。フック形状部分１４４は、最初に第２の側面１１８に向かって延びてもよく、その後に、後端部１１０に向かってターンしてもよく、そして第１の側面１１２に向かって延びてもよい。第１の組の冷却通路１３０のフック形状部分１３４と同様に、入口部分１４２のフック形状部分１４４は、第２の組の冷却通路１４０のより多くの冷却通路を、本体１０６内に配置、形成、および／または延長することを可能にすることができ、タービンシュラウド１００に形成された第２の組の冷却通路１４０の各々の長さを増加させることにより、第２の側面１１８に隣接する本体１０６内により大きな冷却領域を提供することができる。加えて、フック形状部分１４４は、タービンシュラウド１００に形成された第２の組の冷却通路１４０の各々の追加部分（例えば、中間部分）のより良い間隔を可能にし、第２の組の冷却通路１４０の各々の間隔を改善することができる。
【００４０】
第２の組の冷却通路１４０の各冷却通路はまた、出口部分１４６を含んでもよい。図４に示す非限定的な例では、出口部分１４６は、タービンシュラウド１００の本体１０６の第１の側面１１２に隣接して配置および／または形成されてもよい。さらに、図４に示すように、第２の組の冷却通路１４０の各々の出口部分１４６は、第１の側面収集プレナム１２６に隣接して配置および／または形成されてもよい。したがって、第１の側面収集プレナム１２６は、第２の組の冷却通路１４０の各々について、本体１０６の第１の側面１１２と出口部分１４６との間の本体１０６内に配置および／または形成される。簡潔に図６を参照し、引き続き図４を参照すると、第２の組の冷却通路１４０の各々の出口部分１４６はまた、第１の側面収集プレナム１２６と流体連通してもよい。本明細書で説明するように、第２の組の冷却通路１４０の出口部分１４６は、タービンシュラウド１００を冷却するときに第２の組の冷却通路１４０を通って第１の側面収集プレナム１２６に流れる冷却流体を提供または排出するために、第１の側面収集プレナム１２６と流体連通してもよい。
【００４１】
図４に示すように、第２の組の冷却通路１４０の各々はまた、中間部分１４８を含んでもよい。中間部分１４８は、第２の組の冷却通路１４０の入口部分１４２と出口部分１４６とを流体結合することができる。すなわち、中間部分１４８は、入口部分１４２と出口部分１４６との間のタービンシュラウド１００の本体１０６内に形成および／または延在して、入口部分１４２と出口部分１４６とを流体結合することができる。加えて、中間部分１４８は、第２の側面１１８と第１の側面１１２との間の本体１０６内に延在し、かつ／または本体１０６全体にまたがっていてもよい。図４に示す非限定的な例では、第２の組の冷却通路１４０の各々の中間部分１４８は、入口部分１４２と出口部分１４６との間に延在する場合に実質的に直線状であってもよい。さらに、図４に示すように、本体１０６の前端部１０８から後端部１１０に移動するときに、第１の組の冷却通路１３０と第２の組の冷却通路１４０の冷却通路は交互になってもよい。例えば、第２の組の冷却通路１４０の各々の中間部分１４８は、第１の組の冷却通路１３０の２つの冷却通路の中間部分１３８の間に配置および／または隣接して配置されてもよい。
【００４２】
本明細書ではフック形状部分１３４、１４４を含むものとして説明しているが、冷却通路１３０、１４０は、フック形状部分１３４、１４４なしでタービンシュラウド１００に形成されてもよいことを理解されたい。すなわち、冷却通路１３０、１４０にフック形状部分１３４、１４４を含めることは例示的であってもよい。したがって、冷却通路１３０、１４０は、実質的に直線状であってもよく、および／またはフック形状部分１３４、１４４を含まなくてもよい。
【００４３】
また、図４〜図６に示すように、タービンシュラウド１００はまた、少なくとも１つの排出孔を含んでもよい。より具体的には、タービンシュラウド１００は、第１の排出孔１５０と第２の排出孔１５２とを含んでもよい。第１の排出孔１５０は、第１の側面収集プレナム１２６と流体連通してもよい。より具体的には、第１の排出孔１５０は、タービンシュラウド１００の第１の側面収集プレナム１２６と流体連通してもよく、そこから軸方向に延在してもよい。図４および図５に示す非限定的な例では、第１の排出孔１５０は、タービンシュラウド１００の第１の側面収集プレナム１２６から本体１０６の後端部１１０まで、および／または本体１０６の後端部１１０を貫通して延在する。第１の側面収集プレナム１２６と流体連通することに加えて、第１の排出孔１５０は、タービン２８のケーシング３６内の追加の部分または領域と流体連通してもよい（図２参照）。非限定的な例では、第１の排出孔１５０は、タービン２８のステータベーン４０の外側プラットフォーム４２を囲む空間または領域と流体連通してもよい（図２を参照）。動作中、本明細書で説明するように、第１の排出孔１５０は、タービンシュラウド１００の後端部１１０に隣接する第１の側面収集プレナム１２６から、シュラウド１００とステータベーン４０の外側プラットフォーム４２との間に形成される空間、領域、または隙間（Ｇ）に冷却流体を放出することができる（図２を参照）。第１の側面収集プレナム１２６から放出された冷却流体は、シュラウド１００と燃焼ガス２６のステータベーン４０の外側プラットフォーム４２との間の隙間（Ｇ）をパージし（図２を参照）、これにより隙間（Ｇ）の温度を下げることができる。それに加えて、またはその代わりに、第１の側面収集プレナム１２６から放出される冷却流体は、隙間（Ｇ）内および／またはその上方に放出されて、ステータベーン４０の外側プラットフォーム４２に交差し、外側プラットフォーム４２の冷却および／または漏れとして使用されてもよい。
【００４４】
第２の排出孔１５２は、第２の側面収集プレナム１２８と流体連通してもよい。より具体的には、第２の排出孔１５２は、タービンシュラウド１００の第２の側面収集プレナム１２８と流体連通し、そこから軸方向に延在してもよい。図４および図６に示す非限定的な例では、第２の排出孔１５２は、タービンシュラウド１００の第２の側面収集プレナム１２８から本体１０６の後端部１１０まで、および／または本体１０６の後端部１１０を貫通して延在する。第２の側面収集プレナム１２８と流体連通することに加えて、第２の排出孔１５２は、第１の排出孔１５０と同様に、タービン２８のケーシング３６内の追加部分または領域と流体連通してもよい（図２参照）。非限定的な例では、第２の排出孔１５２は、タービン２８のステータベーン４０の外側プラットフォーム４２を囲む空間または領域と流体連通してもよい（図２を参照）。
【００４５】
タービンシュラウド１００の第１の排出孔１５０および第２の排出孔１５２は、第１の側面収集プレナム１２６および第２の側面収集プレナム１２８が所望の内圧を維持することを保証するサイズおよび／または形状を含んでもよい。第１の側面収集プレナム１２６および第２の側面収集プレナム１２８内の所望の内部圧力を維持することにより、冷却通路１３０、１４０によって提供される冷却流体は、第１の側面収集プレナム１２６および第２の側面収集プレナム１２８を通って連続的に流れ、本明細書で説明するように、それぞれ第１の排出孔１５０および第２の排出孔１５２から排出することができる。図５および図６の非限定的な例に示すように、第１の排出孔１５０および第２の排出孔１５２は、所定の直径（Ｄｉａ）を含んでもよく、それは、それぞれ第１の側面収集プレナム１２６および第２の側面収集プレナム１２８の内部圧力（例えば、所望の圧力）に影響を与えるかまたはそれを決定する可能性がある。他の非限定的な例（図９および図１０を参照）では、第１の排出孔１５０および第２の排出孔１５２は、テーパ形状を含んでもよく、かつ／または、第１の側面収集プレナム１２６および第２の側面収集プレナム１２８の内部圧力にそれぞれ影響を与えるかまたはそれを決定するようにテーパ形状であってもよい。本明細書で説明するように、第１の側面収集プレナム１２６および第２の側面収集プレナム１２８に所望の内圧を提供することにより、冷却剤／漏れ流および逆流マージンをよりよく制御して、高温ガス経路の取り込みを防ぐことができる。第１の側面収集プレナム１２６および第２の側面収集プレナム１２８の各々と流体連通する単一の排出孔１５０、１５２のみを含むように示されているが、第１の側面収集プレナム１２６および／または第２の側面収集プレナム１２８は、複数の排出孔（例えば、図７）を含んでもよいことが理解される。
【００４６】
ガスタービンシステム１０（図１参照）の動作中、冷却流体は、本体１０６を通って流れてタービンシュラウド１００を冷却することができる。より具体的には、タービンシュラウド１００は、ガスタービンシステム１０の動作中にタービン２８の高温ガス流路（図２参照）を通って流れる燃焼ガス２６に曝されるため、冷却流体は、タービンシュラウド１００を冷却するために本体１０６を通って形成および／または延在する第１の組の冷却通路１３０および第２の組の冷却通路１４０に提供されてもよく、および／またはそれらを通って流れてもよい。図４〜図６に示す非限定的な例では、冷却流体は、まず、本体１０６の外面１２０を形成および／または延在する入口部分１３２を介して冷却チャンバ１２２から第１の組の冷却通路１３０に流れることができる。冷却流体は、最初に、第１の組の冷却通路１３０の入口部分１３２に入り、フック形状部分１３４を通って流れることができる。冷却流体は、第１の組の冷却通路１３０の各々について入口部分１３２のフック形状部分１３４を流れた後に、第１の組の冷却通路１３０の中間部分１３８を介して第１の側面１１２から第２の側面１１８に流れることができる。中間部分１３８から、冷却流体は、出口部分１３６を通って流れ、続いて、出口部分１３６を介して第２の側面収集プレナム１２８に流れ、および／またはそこに排出されてもよい。本明細書で説明するように、第１の組の冷却通路１３０の出口部分１３６は、第１の組の冷却通路１３０から第２の側面収集プレナム１２８に冷却流体を提供するために、第２の側面収集プレナム１２８に流体連通および／または流体結合されてもよい。
【００４７】
冷却流体が第１の組の冷却通路１３０を介して第２の側面収集プレナム１２８に流入すると、冷却流体は第２の排出孔１５２を通って流れ、および／またはそこから排出されてもよい。より具体的には、第２の側面収集プレナム１２８に受け入れられた冷却流体は、軸方向下流に流れてもよく、および／またはタービンシュラウド１００の後端部１１０に向かって流れてもよい。次いで、冷却流体は、後端部１１０に形成された第２の排出孔１５２を介して、第２の側面収集プレナム１２８を通って流れ、および／またはそこから排出されてもよい。非限定的な例では、第２の排出孔１５２は、シュラウド１００とステータベーン４０の外側プラットフォーム４２との間に形成された空間、領域、または隙間（Ｇ）と流体連通してもよい（図２参照）。したがって、冷却流体がタービンシュラウド１００から排出されると、第２の排出孔１５２は冷却流体をタービン２８のステータベーン４０の外側プラットフォーム４２に向かって導くことができる。タービンシュラウド１００から外側プラットフォーム４２に向かって流れる冷却流体は、シュラウド１００と燃焼ガス２６のステータベーン４０の外側プラットフォーム４２との間の隙間（Ｇ）をパージし（図２参照）、これにより隙間（Ｇ）の温度を下げることができる。それに加えて、またはその代わりに、タービンシュラウド１００から排出される冷却流体は、隙間（Ｇ）内および／またはその上方に排出されて、ステータベーン４０の外側プラットフォーム４２に交差し、外側プラットフォーム４２の冷却および／または漏れとして使用されてもよい。
【００４８】
同時に、第２の組の冷却通路１４０を通って流れる冷却流体は、タービンシュラウド１００の別個の部分および／または特徴を備えた同様の流路をたどることができる。すなわち、ガスタービンシステム１０の動作中に、冷却流体が第１の組の冷却通路１４０、第２の側面収集プレナム１２８、および第２の排出孔１５２を通って流れるのと同時に、冷却流体は、第２の組の冷却通路１４０、第１の側面収集プレナム１２６、および第１の排出孔１５０を通って流れることができる。例えば、冷却流体は最初に、本体１０６の外面１２０を貫通して形成および／または延在する入口部分１４２を介して、冷却チャンバ１２２から第２の組の冷却通路１４０に流れてもよい。冷却流体は、最初に第２の組の冷却通路１４０の入口部分１４２に入り、フック形状部分１４４を通って流れることができる。冷却流体が、第２の組の冷却通路１４０の各々について入口部分１４２のフック形状部分１４４を流れた後に、冷却流体は、中間部分１４８を介して第２の側面１１８から第１の側面１１２に流れることができる。中間部分１４８から、冷却流体は、出口部分１４６を通って流れ、その後に、第１の側面収集プレナム１２６に流入してもよく、および／またはそこに放出されてもよい。
【００４９】
第２の組の冷却通路１４０を介して第１の側面収集プレナム１２６に入る冷却流体は、第１の排出孔１５０を通って流れてもよく、および／またはそこから排出されてもよい。より具体的には、第１の側面収集プレナム１２６で受け取られた冷却流体は、軸方向下流に流れ、および／またはタービンシュラウド１００の後端部１１０に向かって流れ、その後に、第１の排出孔１５０を介して第１の側面収集プレナム１２６を通って流れてもよく、および／またはそこから排出されてもよい。第２の排出孔１５２と同様に、タービンシュラウド１００の第１の排出孔１５０は、シュラウド１００とステータベーン４０の外側プラットフォーム４２との間に形成された空間、領域、または隙間（Ｇ）と流体連通してもよい（図２参照）。第１の排出孔１５０から放出された冷却流体は、シュラウド１００と燃焼ガス２６のステータベーン４０の外側プラットフォーム４２との間の隙間（Ｇ）をパージし（図２を参照）、これにより隙間（Ｇ）の温度を下げることができる。それに加えて、またはその代わりに、第１の排出孔１５０から排出される冷却流体は、隙間（Ｇ）内および／またはその上方に排出されて、ステータベーン４０の外側プラットフォーム４２に交差し、外側プラットフォーム４２の冷却および／または漏れとして使用されてもよい。
【００５０】
図７は、図４〜図６に示すタービンシュラウド１００の非限定的な例の上面図を示している。図７に示す非限定的な例では、タービンシュラウド１００内に形成された冷却通路１３０、１４０は、別個の構成を含んでもよい。具体的には、第１の組の冷却通路１３０および第２の組の冷却通路１４０は、形状および／または幾何学的形状が実質的に直線であってもよい。図示するように、第１の組の冷却通路１３０は、入口部分１３２、出口部分１３６、および入口部分１３２と出口部分１３６との間に延在し流体結合する中間部分１３８のみを含んでもよい。加えて、第２の組の冷却通路１４０は、入口部分１４２、出口部分１４６、および入口部分１４２と出口部分１４６との間に延在し流体結合する中間部分１４８のみを含んでもよい。
【００５１】
また、図７に示すように、第１の側面収集プレナム１２６および第２の側面収集プレナム１２８の各々は、複数の排出孔１５０Ａ、１５０Ｂ、１５２Ａ、１５２Ｂを含んでもよい。例えば、図４〜図６に関して本明細書で同様に説明したように、第１の側面収集プレナム１２６は、後端部１１０を貫通して形成された第１の排出孔１５０Ａを含み、第２の側面収集プレナム１２８は、後端部１１０を貫通して形成された第２の排出孔１５２Ａを含んでもよい。加えて、第１の側面収集プレナム１２６はまた、第１の側面収集プレナム１２６と流体連通する少なくとも１つの第１の排出孔１５０Ｂを含んでもよい。図７に示す非限定的な例では、第１の排出孔１５０Ｂは、本体１０６、より具体的にはシュラウド１００の内面１２４を貫通して延在してもよい。第１の側面収集プレナム１２６と流体連通していることに加えて、第１の排出孔１５０Ｂは、高温ガス流路（ＦＰ）と流体連通し（図２参照）、冷却ガスを高温ガス流路（ＦＰ）に軸方向に、および／または本体１０６／シュラウド１００の内面１２４から軸方向に排出することができる。第１の側面収集プレナム１２６と同様に、第２の側面収集プレナム１２８は、第２の側面収集プレナム１２８と流体連通し、シュラウド１００の本体１０６の内面１２４を貫通して延在する少なくとも１つの第２の排出孔１５２Ｂを含んでもよい。第２の排出孔１５２Ｂは、高温ガス流路（ＦＰ）と流体連通し（図２参照）、冷却流体を第２の側面収集プレナム１２８から高温ガス流路（ＦＰ）に軸方向に、および／またはシュラウド１００の本体１０６／内面１２４から軸方向に排出することができる。
【００５２】
さらに、図７に示す非限定的な例では、第１の組の冷却通路１３０および第２の組の冷却通路１４０の各々に対する少なくとも１つの冷却通路は、損傷および／または破損として示されてもよい。第１の組の冷却通路１３０および第２の組の冷却通路１４０の各々の冷却通路は、タービン２８（図２を参照）内の構成要素の停止の結果として、および／またはタービンシュラウド１００の内面１２４の酸化侵食により損傷する可能性がある。図７に示す非限定的な例では、第１の組の冷却通路１３０および第２の組の冷却通路１４０の各々の単一の中間部分１３８、１４８は、損傷および／または破損する可能性があり、損傷した中間部分１３８、１４８は、それぞれの入口部分１３２、１４２と出口部分１３６、１４６とをもはや流体結合しなくなるおそれがある。むしろ、非限定的な例では、損傷した中間部分１３８、１４８の各々は、タービンシュラウド１００の内面１２４に形成された損傷開口部１５４を介してタービン２８の流路（ＦＰ）と直接流体連通してもよい（図２、図３、図５を参照）。タービンシュラウド１００、より具体的には第１の組の冷却通路１３０および第２の組の冷却通路１４０の冷却通路の一部が損傷する非限定的な例では、タービンシュラウド１００の少なくとも１つのプレナムが損傷した冷却通路に冷却流体を提供することができる。例えば、図７に示すように、第１の組の冷却通路１３０の冷却通路の中間部分１３８が損傷した場合には、第２の側面収集プレナム１２８が、出口１３６を介して第２の側面収集プレナム１２８と流体連通したままである中間部分１３８の部分１５６に冷却流体を提供することができる。より具体的には、第１の組の冷却通路１３０の損傷のない冷却通路を介して第２の側面収集プレナム１２８に以前に供給された冷却流体は、タービンシュラウド１００内で出口部分１３６を介して中間部分１３８の部分１５６に再利用または再循環されてもよい。冷却流体は、中間部分１３８の部分１５６を通って流れ、および／または損傷開口部１５４からタービン２８の流路（ＦＰ）に排出され得る（図２を参照）。
【００５３】
同様に、図７に示すように、第２の組の冷却通路１４０の冷却通路の中間部分１４８が損傷し、および／または損傷開口部１５４と流体連通している場合には、第１の側面収集プレナム１２６は、出口１４６を介して第１の側面収集プレナム１２６と流体連通したままである中間部分１４８の部分１５８に冷却流体を提供することができる。すなわち、第２の組の冷却通路１４０の損傷のない冷却通路を介して第１の側面収集プレナム１２６に以前に供給された冷却流体は、タービンシュラウド１００内で再利用されるか、出口部分１４６を介して中間部分１４８の部分１５６に再循環されてもよい。冷却流体は、中間部分１４８の部分１５６を通って流れ、および／または損傷開口部１５４からタービン２８の流路（ＦＰ）に排出され得る（図２を参照）。
【００５４】
本明細書で説明するように、第１の側面収集プレナム１２６および第２の側面収集プレナム１２８は、それぞれ第１の排出孔１５０および第２の排出孔１５２によって決定および／または影響される所望の圧力を含んでもよい。本明細書で説明するように、第１の側面収集プレナム１２６および第２の側面収集プレナム１２８内の所望の圧力により、冷却流体をタービンシュラウド１００の損傷した冷却通路を通して再利用および／または再循環させることができる。加えて、冷却流体がタービンシュラウド１００の損傷した冷却通路を通して再利用および／または再循環されている場合には、タービンシュラウド１００の損傷した冷却通路を通って流れる再循環冷却流体の圧力は、タービン２８を通って流れる燃焼ガス２６が（例えば、損傷開口部１５４を介して）タービンシュラウドに入るのを防ぐことができる。
【００５５】
図８〜図１０は、図１のガスタービンシステム１０のタービン２８のタービンシュラウド１００の別の非限定的な例の様々な図を示す。具体的には、図８はタービンシュラウド１００の上面図を示し、図９は図８の線９−９に沿ったタービンシュラウド１００の断面側面図を示し、図１０は、図８の線１０−１０に沿ったタービンシュラウド１００の断面側面図を示す。同様の符号を付したおよび／または名前を付けた構成要素は、実質的に同様に機能し得ることが理解される。これらの構成要素の冗長な説明は、明確化のために省略されている。
【００５６】
図８〜図１０に示すように、タービンシュラウド１００は、本体１０６内に延在する第１の組の冷却通路１３０と第２の組の冷却通路１４０を含むことができる。非限定的な例では、タービンシュラウド１００の第１の組の冷却通路１３０（図８に仮想線で示す）は、本体１０６内で第１の側面１１２付近と第２の側面１１８付近との間、および／または第１の側面１１２付近から第２の側面１１８付近まで延びて、第１の側面１１２付近に戻ってもよい。より具体的には、フック形状部分１３４を含む入口部分１３２、および出口部分１３６は、タービンシュラウド１００の本体１０６の第１の側面１１２に隣接して配置および／または形成されてもよい。したがって、第１の組の冷却通路１３０の各々の入口部分１３２および出口部分１３６は、第１の側面収集プレナム１２６に隣接して配置および／または形成されてもよい。非限定的な例では、第１の側面収集プレナム１２６は、第１の組の冷却通路１３０の各々について、本体１０６内で本体１０６の第１の側面１１２と入口部分１３２および出口部分１３６との間にそれぞれ配置および／または形成されてもよい。加えて、図８および図９に示す非限定的な例では、第１の組の冷却通路１３０の各々の出口部分１３６は、第１の側面収集プレナム１２６と流体連通してもよい。本明細書で説明するように、第１の組の冷却通路１３０の出口部分１３６は、第１の組の冷却通路１３０を通って第１の側面収集プレナム１２６に流れる冷却流体を提供または排出するために、第１の側面収集プレナム１２６と流体連通してもよい。
【００５７】
本明細書で説明するように、中間部分１３８は、本体１０６内で入口部分１３２と出口部分１３６との間で延在してもよく、入口部分１３２と出口部分１３６とを流体結合してもよい。図８に示す非限定的な例において入口部分１３２および出口部分１３６を流体結合するために、中間部分１３８は、ターン部分１６０を含んでもよい。第１の組の冷却通路１３０の各々の中間部分１３８のターン部分１６０は、第２の側面１１８および／または第２の側面収集プレナム１２８に隣接して配置および／または形成されてもよい。第２の側面収集プレナム１２８は、本体１０６の第２の側面１１８とターン部分１６０との間に配置および／または形成されてもよい。したがって、図８の非限定的な例に示すように、中間部分１３８は、入口部分１３２から第２の側面１１８に向かって延びてもよい。中間部分１３８のターン部分１６０は、第２の側面１１８に隣接する中間部分１３８の方向を逆にすることができ、中間部分１３８は、第１の側面収集プレナム１２６と流体連通する出口部分１３６と流体結合されるように第２の側面１１８から第１の側面１１２まで延在してもよい。
【００５８】
図８〜図１０に示す非限定的な例はまた、本体１０６内で第２の側面１１８付近と第１の側面１１２付近との間、および／または第２の側面１１８付近から第１の側面１１２付近まで延びて、第２の側面１１８付近に戻るタービンシュラウド１００の第２の組の冷却通路１４０（図８に仮想線で示す）を含んでもよい。より具体的には、フック形状部分１４４を含む入口部分１４２、および出口部分１４６は、タービンシュラウド１００の本体１０６の第２の側面１１８に隣接して配置および／または形成されてもよい。したがって、第２の組の冷却通路１４０の各々の入口部分１４２および出口部分１４６は、第２の側面収集プレナム１２８に隣接して配置および／または形成されてもよい。非限定的な例では、第２の側面収集プレナム１２８は、第２の組の冷却通路１４０の各々について、本体１０６内で本体１０６の第２の側面１１８と入口部分１４２および出口部分１４６との間にそれぞれ配置および／または形成されてもよい。さらに、図８および図１０に示す非限定的な例では、第２の組の冷却通路１４０の各々の出口部分１４６は、第２の側面収集プレナム１２８と流体連通してもよい。本明細書で説明するように、第２の組の冷却通路１４０の出口部分１４６は、第２の組の冷却通路１４０を通って第２の側面収集プレナム１２８に流れる冷却流体を提供または排出するために、第２の側面収集プレナム１２８と流体連通してもよい。
【００５９】
本明細書で説明するように、中間部分１４８は、本体１０６内で入口部分１４２と出口部分１４６との間で延在してもよく、入口部分１４２と出口部分１４６とを流体結合してもよい。図８に示す非限定的な例では、中間部分１３８と同様に、中間部分１４８がターン部分１６２を含んでもよい。第２の組の冷却通路１４０の各々の中間部分１４８のターン部分１６２は、第１の側面１１２および／または第１の側面収集プレナム１２６に隣接して配置および／または形成されてもよい。第１の側面収集プレナム１２６は、本体１０６の第１の側面１１２とターン部分１６２との間に配置および／または形成されてもよい。したがって、図８の非限定的な例に示すように、中間部分１４８は、入口部分１４２から第１の側面１１２に向かって延びてもよい。中間部分１４８のターン部分１６２は、第１の側面１１２に隣接する中間部分１４８の方向を逆にすることができ、中間部分１４８は、第２の側面収集プレナム１２８と流体連通する出口部分１４６と流体結合されるように第１の側面１１２から第２の側面１１８まで延在してもよい。
【００６０】
さらに、図９および図１０に示す、図４〜図６に関して本明細書で説明された非限定的な例とは異なる非限定的な例では、タービンシュラウド１００の第１の排出孔１５０および第２の排出孔１５２は、テーパ形状を含んでもよく、かつ／または、第１の側面収集プレナム１２６および第２の側面収集プレナム１２８の内部圧力にそれぞれ影響を与えるかまたはそれを決定するようにテーパ形状であってもよい。すなわち、第１の側面収集プレナム１２６と流体連通し、後端部１１０を通って延在する第１の排出孔１５０、ならびに第２の側面収集プレナム１２８と流体連通し、後端部１１０を通って延在する第２の排出孔１５２は、実質的にテーパ形状であってもよい。本明細書で説明するように、第１の排出孔１５０および第２の排出孔１５２をテーパ形状にすることにより、第１の側面収集プレナム１２６および第２の側面収集プレナム１２８が所望の内圧を維持することを保証することができ、かつ／または第１の側面収集プレナム１２６および第２の側面収集プレナム１２８の内部圧力をそれぞれ決定することができる。
【００６１】
図１１は、タービンシュラウド１００の別の非限定的な例の上面図を示す。図１１に示す第１の組の冷却通路１３０および第２の組の冷却通路１４０の冷却通路の各々は、図８〜図１０に関して本明細書で説明した特徴と同様の特徴（例えば、ターン部分１６０、１６２）を含むことができる。しかし、図８〜図１０に関して本明細書で説明する非限定的な例とは異なり、図１１に示す第１の組の冷却通路１３０および第２の組の冷却通路１４０の部分は、本体１０６内で第１の側面１１２と第２の側面１１８との間で完全に延在してなくてもよい。例えば、タービンシュラウド１００の第１の組の冷却通路１３０（図１１に仮想線で示す）は、本体１０６内で第１の側面１１２付近と本体１０６の中央領域１６４との間、および／または第１の側面１１２付近から本体１０６の中央領域１６４まで延びて、中央領域１６４から第１の側面１１２付近に戻ってもよい。第１の組の冷却通路１３０の各々の中間部分１３８のターン部分１６０は、本体１０６の中央領域１６４内に配置、形成、および／または延在してもよい。したがって非限定的な例では、中間部分１３８は、入口部分１３２から第２の側面１１８に向かって延びてもよい。中間部分１３８のターン部分１６０は、本体１０６の中央領域１６４で中間部分１３８の方向を逆にすることができ、中間部分１３８は、中央領域１６４から第１の側面１１２に向かって延びて、第１の側面収集プレナム１２６と流体連通する出口部分１３６と流体結合されてもよい。
【００６２】
加えて、図１１に示す非限定的な例では、タービンシュラウド１００の第２の組の冷却通路１４０（図１１に仮想線で示す）は、本体１０６内で第２の側面１１８付近と本体１０６の中央領域１６４との間、および／または第２の側面１１８付近から本体１０６の中央領域１６４まで延びて、中央領域１６４から第２の側面１１８付近に戻ってもよい。第２の組の冷却通路１４０の各々の中間部分１４８のターン部分１６２は、本体１０６の中央領域１６４内に配置、形成、および／または延在してもよい。中間部分１４８のターン部分１６２はまた、第１の組の冷却通路１３０のために、中間部分１３８のターン部分１６０に隣接する本体１０６内に延在してもよい。非限定的な例では、中間部分１４８は、入口部分１４２から第１の側面１１２に向かって延びていてもよい。中間部分１４８のターン部分１６２は、本体１０６の中央領域１６４で中間部分１４８の方向を逆にすることができ、中間部分１４８は、中央領域１６４から第２の側面１１８に向かって延びて、第２の側面収集プレナム１２８と流体連通する出口部分１４６と流体結合されてもよい。
【００６３】
図１２〜図１４は、図１のガスタービンシステム１０のタービン２８のタービンシュラウド１００の追加の非限定的な例の様々な図を示す。図１２〜図１４に示すタービンシュラウド１００の非限定的な例は、結合導管１６６を含むことができる。結合導管１６６は、タービンシュラウド１００の本体１０６内に延在してもよい。より具体的には、結合導管１６６は、第１の側面１１２と第２の側面１１８との間、および／または第１の側面収集プレナム１２６と第２の側面収集プレナム１２８との間の本体１０６内にそれぞれ延在してもよい。図１２〜図１４に示す非限定的な例では、結合導管１６６は、第１の組の冷却通路１３０および第２の組の冷却通路１４０について、それぞれ冷却通路の選択部分から半径方向上方および／または半径方向外側に本体１０６内に延在してもよい。この非限定的な例では、結合導管１６６は、本体１０６の外面１２０に隣接して配置されてもよく、かつ／または、本体１０６の外面１２０と、第１の組の冷却通路１３０および第２の組の冷却通路１４０のための冷却通路の選択部分との間に配置されてもよい。別の非限定的な例（図示せず）では、結合導管１６６は、第１の組の冷却通路１３０および第２の組の冷却通路１４０の冷却通路の選択部分から半径方向下方および／または半径方向外側に本体１０６内にそれぞれ延在してもよい。この非限定的な例では、結合導管１６６は、本体１０６の内面１２４に隣接して配置されてもよく、および／または、本体１０６の内面１２４と、第１の組の冷却通路１３０および第２の組の冷却通路１４０の冷却通路の選択部分との間に配置されてもよい。
【００６４】
さらに、非限定的な例に示すように、結合導管１６６は、第１の側面収集プレナム１２６と流体連通してもよく、かつ／または本体１０６内に延在する第２の側面収集プレナム１２８に流体結合してもよい。流体結合された結果として、第１の側面収集プレナム１２６から第２の側面収集プレナム１２８は、それぞれの第１の排出孔１５０および第２の排出孔１５２から冷却流体を排出する前に、そこに含まれる冷却流体を交換することができる。図１２に示す非限定的な例では、結合導管１６６は、第１の側面収集プレナム１２６と第２の側面収集プレナム１２８との間の本体１０６内に延在し、本体１０６の前端部１０８と後端部１１０との間に配置されてもよい。第１の側面収集プレナム１２６および第２の側面収集プレナム１２８は、結合導管１６６を介して冷却流体を交換することができる。したがって、冷却流体は、それぞれの第１の排出孔１５０から排出され、第２の排出孔１５２は、第１の側面収集プレナム１２６および第２の側面収集プレナム１２８の両方からの冷却流体を含んでもよい。
【００６５】
図１３に示す非限定的な例では、結合導管１６６は、第１の側面収集プレナム１２６と第２の側面収集プレナム１２８との間の本体１０６内に延在し、本体１０６の後端部１１０に実質的に隣接して形成されてもよい。この非限定的な例では、結合導管１６６は、それぞれ第１の側面収集プレナム１２６および第２の側面収集プレナム１２８の第１の排出孔１５０および第２の排出孔１５２の軸方向上流に配置されてもよい。冷却流体がそれぞれの第１の排出孔１５０および第２の排出孔１５２から排出される前に、第１の側面収集プレナム１２６および／または第２の側面収集プレナム１２８は、後端部１１０に隣接して延在する結合導管１６６を介して冷却流体の一部を交換することができる。加えて、第１の側面収集プレナム１２６および／または第２の側面収集プレナム１２８から冷却流体を受け取る結合導管１６６はまた、タービンシュラウド１００の本体１０６の後端部１１０の冷却を助けることができる。また、図１３の非限定的な例に示すように、タービンシュラウド１００はまた、少なくとも１つの補助排出孔１６８を含んでもよい。補助排出孔１６８は、本体１０６の後端部１１０を貫通して形成されてもよく、結合導管１６６と流体連通してもよい。この非限定的な例では、結合導管１６６から後端部１１０を通って延在する補助排出孔１６８は、シュラウド１００とステータベーン４０の外側プラットフォーム４２との間に形成される空間、領域、または隙間（Ｇ）と流体連通してもよい（図２を参照）。したがって、第１の排出孔１５０および第２の排出孔１５２と同様に、補助排出孔１６８は、冷却流体を排出して、シュラウド１００と燃焼ガス２６のステータベーン４０の外側プラットフォーム４２との間の隙間（Ｇ）をパージすることができ（図２を参照）、これにより隙間（Ｇ）の温度を下げることができる。それに加えて、またはその代わりに、補助排出孔１６８から排出される冷却流体は、隙間（Ｇ）内および／またはその上方に排出されて、ステータベーン４０の外側プラットフォーム４２に交差し、外側プラットフォーム４２の冷却および／または漏れとして使用されてもよい。
【００６６】
図１３と同様に、図１４に示す非限定的な例は、第１の側面収集プレナム１２６および第２の側面収集プレナム１２８と流体連通し、後端部１１０に隣接する本体１０６内に延在する結合導管１６６を含んでもよい。結合導管１６６はまた、蛇行導管１７０に流体連通および／または流体結合されてもよい。蛇行導管１７０は、結合導管１６６から軸方向下流に、後端部１１０に隣接する本体１０６内に延在してもよい。さらに、図１４に示すように、蛇行導管１７０は、延在し、蛇行し、かつ／または本体１０６の第１の側面１１２と第２の側面１１８との間に広がる複数のターン部を含むことができる。本体１０６内に延在する蛇行導管１７０は、タービンシュラウド１００用の本体１０６の後端部１１０を通って延在する少なくとも１つの補助排出孔１６８を含んでもよく、本明細書で説明するように、タービン２８のステータベーン４０の外側プラットフォーム４２を囲む空間または領域に冷却流体を排出することができる（図２を参照）。本明細書で説明するように、タービンシュラウド１００に形成された蛇行導管１７０は、ガスタービンシステム１０の動作中にタービンシュラウド１００の熱伝達および／または冷却を助けることができる。
【００６７】
結合導管１６６に流体結合および／または流体連通しているように示されているが、蛇行導管１７０はタービンシュラウド１００の追加または別個の部分と流体連通および／または流体結合してもよいことが理解される。別の非限定的な例（図示せず）では、蛇行導管１７０は、第１の側面収集プレナム１２６および／または第２の側面収集プレナム１２８に流体結合されてもよい。
【００６８】
図１５〜図１７は、図１のガスタービンシステム１０のタービン２８のタービンシュラウド１００の別の非限定的な例の様々な図を示す。具体的には、図１５はタービンシュラウド１００の上面図を示し、図１６は図１５の線１６−１６に沿ったタービンシュラウド１００の断面側面図を示し、図１７は図１５の線１７−１７に沿ったタービンシュラウド１００の断面側面図を示す。同様の符号を付したおよび／または名前を付けた構成要素は、実質的に同様に機能し得ることが理解される。これらの構成要素の冗長な説明は、明確化のために省略されている。
【００６９】
図１５〜図１７に示すタービンシュラウド１００の非限定的な例は、追加の特徴を含んでもよい。例えば、タービンシュラウド１００は、第１の壁１７２（図１５に仮想線で示されている）を含んでもよい。第１の壁１７２は、第１の側面収集プレナム１２６内に延在してもよい。図１５および図１６に示す非限定的な例では、第１の壁１７２は、本体１０６の前端部１０８付近から後端部１１０付近まで、第１の側面収集プレナム１２６内に延在してもよい。加えて、第１の壁１７２は、本体１０６の外面１２０と内面１２４との間で実質的に平行な第１の側面収集プレナム１２６内に延在してもよい。非限定的な例では、第１の側面収集プレナム１２６内の第１の壁の形成は、第１の側面収集プレナム１２６を、外側部分１７４および内側部分１７６を含む複数の別個の部分に実質的に分割してもよい。第１の側面収集プレナム１２６の外側部分１７４は、第１の壁１７２と本体１０６の外面１２０との間に形成および／または配置されてもよく、第１の側面収集プレナム１２６の内側部分１７６は、第１の壁１７２と本体１０６の内面１２４との間に形成および／または配置されてもよい。簡単に図１６を参照すると、第１の排出孔１５０は、外側部分１７４および内側部分１７６の両方と流体連通して、第１の側面収集プレナム１２６の両方の部分から冷却流体を受け取り、排出することができる。本体１０６が単一体として形成される非限定的な例では、任意の適切な積層造形プロセスおよび／または方法を使用して、第１の壁１７２をタービンシュラウド１００の本体１０６と一体に形成してもよい。
【００７０】
第１の側面収集プレナム１２６内の第１の壁１７２の形成はまた、第１の側面収集プレナム１２６の別個の部分１７４、１７６に冷却流体を供給または提供するために、タービンシュラウド１００の冷却通路を別個のグループに分割してもよい。例えば、第２の組の冷却通路１４０は、第１のグループ１４０Ａと第２のグループ１４０Ｂとに分割してもよい。図１６を参照し、引き続き図１５を参照すると、第２の組の冷却通路１４０の第１のグループ１４０Ａは、第１の側面収集プレナム１２６の外側部分１７４と流体連通してもよく、第２の組の冷却通路１４０の第２のグループ１４０Ｂは、第１の側面収集プレナム１２６の内側部分１７６と流体連通してもよい。より具体的には、第２の組の冷却通路１４０Ａの第１のグループ１４０Ａの出口部分１４６Ａは、第１の側面収集プレナム１２６の外側部分１７４と流体連通および／または流体結合して、その中に冷却流体を提供することができる。さらに、第２の組の冷却通路１４０Ａの第２のグループ１４０Ｂの出口部分１４６Ｂは、内側部分１７６のみに冷却流体を提供するように、内側部分１７６と流体連通および／または流体結合されてもよい。
【００７１】
さらに、図１５および図１７に示す非限定的な例では、タービンシュラウド１００はまた、第２の壁１７８（図１５に仮想線で示される）を含んでもよい。第１の壁１７２と同様に、第２の壁１７８は、第２の側面収集プレナム１２８内で本体１０６の前端部１０８付近から後端部１１０付近まで延在してもよく、本体１０６の外面１２０および内面１２４に実質的に平行であってもよい。第２の側面収集プレナム１２８内の第２の壁１７８の形成は、第２の側面収集プレナム１２８を、外側部分１８０および内側部分１８２を含む複数の別個の部分に分割してもよい。外側部分１８０は、第２の壁１７８と本体１０６の外面１２０との間に形成および／または配置されてもよく、内側部分１８２は、第２の壁１７８と本体１０６の内面１２４との間に形成および／または配置されてもよい。簡単に図１７を参照すると、第１の排出孔１５０と同様に、第２の排出孔１５２は、外側部分１８０および内側部分１８２の両方と流体連通して、第２の側面収集プレナム１２８の両方の部分から冷却流体を受け取り、排出することができる。
【００７２】
第２の側面収集プレナム１２８内の第２の壁１７８の形成はまた、第２の側面収集プレナム１２８の別個の部分１８０、１８２に冷却流体を供給または提供するために、タービンシュラウド１００の冷却通路を別個のグループに分割してもよい。図１６を参照し、引き続き図１５を参照すると、第１の組の冷却通路１３０の第１のグループ１３０Ａは、第２の側面収集プレナム１２８の外側部分１８０と流体連通してもよく、第１の組の冷却通路１３０の第２のグループ１３０Ｂは、第２の側面収集プレナム１２８の内側部分１８２と流体連通してもよい。非限定的な例では、第１の組の冷却通路１３０Ａの第１のグループ１３０Ａの出口部分１３６Ａは、第２の側面収集プレナム１２８の外側部分１８０と流体連通および／または流体結合されてもよい。第１の組の冷却通路１３０Ａの第２のグループ１３０Ｂの出口部分１３６Ｂは、内側部分１８２と流体連通および／または流体結合されてもよい。
【００７３】
再結合するおよび／または別個の部分１７４、１７６、１８０、１８２として示されているが、両方ともそれぞれの排出孔１５０、１５２に流体接続されている。タービンシュラウド１００の別個の部分１７４、１７６、１８０、１８２は、対応する別個の排出孔を含んでもよいことが理解される。すなわち、例えば、外側部分１７４および内側部分１７６は、そこを通って流れる冷却流体を排出孔１５０から排出させなくてもよい。むしろ、タービンシュラウド１００を通して形成された外側部分１７４および内側部分１７６の各々は、外側部分１７４および内側部分１７６を通って流れる冷却流体を別々に排出するためにタービンシュラウド１００を通して形成された異なる別個の排出孔と流体連通してもよい。
【００７４】
図１８〜図２０は、図１のガスタービンシステム１０のタービン２８のタービンシュラウド１００のさらなる非限定的な例の様々な図を示す。図１８〜図２０に示すタービンシュラウド１００の非限定的な例は、別個の方法で配向および／または配置された図１５〜図１７に関して本明細書で説明したものと同様の特徴を含むことができる。例えば、第１の壁１７２は、第１の側面収集プレナム１２６内で、本体１０６の外面１２０から内面１２４まで延在してもよく、本体１０６の前端部１０８および後端部１１０と実質的に平行であってもよい。図１８および図１９に示す非限定的な例では、第１の側面収集プレナム１２６内の第１の壁１７２の形成は、第１の側面収集プレナム１２６を、前方部分１８４および後方部分１８６を含む複数の別個の部分に実質的に分割してもよい。第１の側面収集プレナム１２６の前方部分１８４は、第１の壁１７２と本体１０６の前端部１０８との間に形成および／または配置されてもよく、第１の側面収集プレナム１２６の後方部分１８６は、第１の壁１７２と本体１０６の後端部１１０との間に形成および／または配置されてもよい。
【００７５】
簡潔に図１９および図２０を参照すると、タービンシュラウドは、それぞれ前方部分１８４および後方部分１８６の両方と流体連通することができる２つの第１の排出孔１５０Ａ、１５０Ｂを含んでもよい。すなわち、第１の排出孔１５０Ａは、前方部分１８４と流体連通および／または流体結合して、側面収集プレナム１２６の前方部分１８４から冷却流体を受け取り、排出してもよい。加えて、タービンシュラウド１００の本体１０６の前端部１０８を貫通して第１の排出孔１５０Ａを形成してもよい。非限定的な例では、第１の排出孔１５０Ａは、タービンシュラウド１００の軸方向上流に配置することができるタービン２８（図２を参照）のステータベーンの外側プラットフォーム（例えば、外側プラットフォーム４２、ステータベーン４０）を囲む空間または領域と流体連通してもよい。動作中、本明細書で説明するように、第１の排出孔１５０Ａは、タービンシュラウド１００の前端部１０８に隣接する第１の側面収集プレナム１２６の前方部分１８４から、タービンシュラウド１００の軸方向上流に配置されたステータベーンの外側プラットフォームを取り囲む空間または領域へ、冷却流体を放出してもよい。図１９に示すように、第１の排出孔１５０Ｂは、後方部分１８６と流体連通してもよく、本明細書で同様に説明するように、本体１０６の後端部１１０を通して形成されてもよい。第１の排出孔１５０Ａ、１５０Ｂから放出された冷却流体は、例えば、シュラウド１００と燃焼ガス２６のステータベーン４０の外側プラットフォーム４２との間の隙間（Ｇ）をパージしてもよく（図２参照）、かつ／あるいはステータベーン４０の外側プラットフォーム４２に交差して、外側プラットフォーム４２の冷却および／または漏れとして使用されてもよい。
【００７６】
図１５〜図１７に関して本明細書で説明する非限定的な例と同様に、第１の側面収集プレナム１２６内の第１の壁１７２の形成は、タービンシュラウド１００の第２の組の冷却通路１４０を第１のグループ１４０Ａと第２のグループ１４０Ｂとに分割してもよい。図１９に示すように、第２の組の冷却通路１４０Ａの第１のグループ１４０Ａの出口部分１４６Ａは、第１の側面収集プレナム１２６の前方部分１８４と流体連通および／または流体結合して、内部に冷却流体を提供することができる。加えて、第２の組の冷却通路１４０Ａの第２のグループ１４０Ｂの出口部分１４６Ｂは、冷却流体を後方部分１８６のみに提供するように、後方部分１８６と流体連通および／または流体結合されてもよい。
【００７７】
さらに、図１８および図２０に示す非限定的な例では、第２の壁１７８は、本体１０６の外面１２０から内面１２４まで第２の側面収集プレナム１２８内に延在してもよく、本体１０６の前端部１０８および後端部１１０に実質的に平行であってもよい。第２の側面収集プレナム１２８内の第２の壁１７８の形成は、第２の側面収集プレナム１２８を、前方部分１８８および後方部分１９０を含む複数の別個の部分に分割してもよい。第１の側面収集プレナム１２６の部分１８４、１８６と同様に、前方部分１８８は、第２の壁１７８と本体１０６の前端部１０８との間に形成および／または配置されてもよく、後方部分１９０は、第２の壁１７８と本体１０６の後端部１１０との間に形成および／または配置されてもよい。簡単に図２０を参照すると、第１の排出孔１５０Ａ、１５０Ｂと同様に、第２の排出孔１５２Ａは、前方部分１８８と流体連通してもよく、第２の排出孔１５２Ｂは、第２の側面収集プレナム１２８のそれぞれの部分１８８、１９０から冷却流体を受け取って排出するために、後方部分１９０と流体連通してもよい。第１の排出孔１５０Ａと同様に、第２の排出孔１５２Ａから放出される冷却流体は、タービンシュラウド１００の軸方向上流に配置することができるタービン２８のステータベーン（例えば、外側プラットフォーム４２、ステータベーン４０）の外側プラットフォームを囲む空間または領域と流体連通してもよい（図２を参照）。さらに、第２の排出孔１５２Ｂは、シュラウド１００とステータベーン４０の外側プラットフォーム４２との間に形成された空間、領域、または隙間（Ｇ）と流体連通してもよい（図２を参照）。第２の排出孔１５２Ａ、１５２Ｂから放出された冷却流体は、例えば、シュラウド１００と燃焼ガス２６のステータベーン４０の外側プラットフォーム４２との間の隙間（Ｇ）をパージしてもよく（図２参照）、かつ／あるいはステータベーン４０の外側プラットフォーム４２に交差して、外側プラットフォーム４２の冷却および／または漏れとして使用されてもよい。
【００７８】
図２０に示され、引き続き図１８を参照すると、第１の組の冷却通路１３０Ａの第１のグループ１３０Ａの出口部分１３６Ａは、第２の側面収集プレナム１２８の前方部分１８８と流体連通および／または流体結合されてもよい。第１の組の冷却通路１３０Ａの第２のグループ１３０Ｂの出口部分１３６Ｂは、後方部分１９０と流体連通および／または流体結合されてもよい。したがって、第１の組の冷却通路１３０Ａの第１のグループ１３０Ａは、第２の側面収集プレナム１２８の前方部分１８８のみに冷却流体を提供することができる。第１の組の冷却通路１３０Ａの第２のグループ１３０Ｂは、第２の側面収集プレナム１２８の後方部分１９０のみに冷却流体を提供することができる。
【００７９】
本明細書では、単一の壁１７２、１７８のみを含むものとして図１５〜図２０に関して図示および説明したが、第１の側面収集プレナム１２６および／または第２の側面収集プレナム１２８は、そこに形成されるより多くの壁を含んでもよい。第１の側面収集プレナム１２６および／または第２の側面収集プレナム１２８がその中に形成された複数の壁を含む非限定的な例では、第１の側面収集プレナム１２６および／または第２の側面収集プレナム１２８は、本明細書で同様に説明するように、タービンシュラウド１００の壁および／または本体１０６の間に形成される複数の別個の部分を含んでもよい。
【００８０】
加えて、図１５〜図２０の非限定的な例に示すタービンシュラウド１００の排出孔の形成および／または位置は例示的であることが理解される。したがって、排出孔１５０、１５２、１５０Ａ、１５０Ｂ、１５２Ａ、１５２Ｂは、タービンシュラウド１００の様々な部分の中に、またはそれを貫通して形成されてもよい。例えば、タービンシュラウド１００の本体１０６の第１の側面１１２に第１の排出孔１５０Ａ、１５０Ｂが形成されてもよく、第２の側面１１８に第２の排出孔１５２Ａ、１５２Ｂが形成されてもよい。この非限定的な例では、排出孔１５０Ａ、１５０Ｂ、１５２Ａ、１５２Ｂから排出された冷却流体は、シュラウド間の空間をパージするために、円周方向に隣接するタービンシュラウドの間に形成された空間または領域で排出されてもよく、および／または円周方向に隣接するタービンシュラウドの冷却（例えば、膜冷却）に使用されてもよい。
【００８１】
図２１〜図２４は、追加の特徴を含むタービンシュラウド１００の追加の非限定的な例を示している。非限定的な例では、タービンシュラウド１００は複数の支持ピン１９２を含んでもよい。複数の支持ピン１９２は、タービンシュラウド１００の第１の側面収集プレナム１２６および／または第２の側面収集プレナム１２８内に配置、形成、および／または延在してもよい。図２１および図２２に示す非限定的な例では、複数の支持ピン１９２は、第１の側面収集プレナム１２６および／または第２の側面収集プレナム１２８内に延在してもよく、本体１０６の外面１２０と内面１２４との間に延在してもよい。図２３および図２４に示す非限定的な例では、複数の支持ピン１９２は、タービンシュラウド１００の第１の側面１１２と本体１０６との間の第１の側面収集プレナム１２６内に延在してもよい。加えて、非限定的な例では、複数の支持ピン１９２は、タービンシュラウド１００の第２の側面１１８と本体１０６との間の第２の側面収集プレナム１２８内に延在してもよい。本体１０６が単一体として形成される非限定的な例では、複数の支持ピン１９２は、任意の適切な積層造形プロセスおよび／または方法を使用して、タービンシュラウド１００の本体１０６と一体に形成されてもよい。
【００８２】
タービンシュラウド１００内に形成された複数の支持ピン１９２は、第１の側面収集プレナム１２６および／または第２の側面収集プレナム１２８に支持、構造、および／または剛性を提供するために第１の側面収集プレナム１２６および／または第２の側面収集プレナム１２８内に形成されてもよい。第１の側面収集プレナム１２６および／または第２の側面収集プレナム１２８に支持、構造、および／または剛性を提供することに加えて、本明細書で説明するように、複数の支持ピン１９２はまた、ガスタービンシステム１０（図１参照）の動作中にタービンシュラウド１００の熱伝達および／または冷却を助けることができる。第１の側面収集プレナム１２６および／または第２の側面収集プレナム１２８内に延在する支持ピン１９２のサイズ、形状、および／または数は、単なる例示である。したがって、タービンシュラウド１００は、より大きいまたはより小さい支持ピン１９２、すなわち様々なサイズの支持ピン１９２を含んでもよく、および／または内部に形成されたより多くのまたはより少ない支持ピン１９２を含んでもよい。
【００８３】
図２５〜図２７は、図１のガスタービンシステム１０のタービン２８のタービンシュラウド１００の別の非限定的な例の様々な図を示す。具体的には、図２５はタービンシュラウド１００の上面図を示し、図２６は図２５の線２６−２６に沿ったタービンシュラウド１００の断面側面図を示し、図２７は図２５の線２７−２７に沿ったタービンシュラウド１００の断面側面図を示す。同様の符号を付したおよび／または名前を付けた構成要素は、実質的に同様に機能し得ることが理解される。これらの構成要素の冗長な説明は、明確化のために省略されている。
【００８４】
本明細書で説明する非限定的な例とは異なり、図２５〜図２７に示すタービンシュラウド１００は、単一の中央収集プレナム１９４を含んでもよい。中央収集プレナム１９４は、第１の側面１１２と第２の側面１１８との間で、前端部１０８から後端部１１０まで本体１０６内に延在してもよい。より具体的には、中央収集プレナム１９４は、本体１０６の中央領域１６４内で、第１の側面１１２と第２の側面１１８との間で、かつこれらと実質的に平行に延在してもよい。簡単に図２６および図２７を参照すると、中央収集プレナム１９４は、本体１０６の外面１２０と内面１２４との間で本体１０６内に延在してもよい。
【００８５】
図２５〜図２７に示すタービンシュラウド１００の非限定的な例は、本明細書で同様に説明するように、第１の組の冷却通路１３０、および第２の組の冷却通路１４０を含んでもよい。しかしながら、冷却流体を中央収集プレナム１９４に供給するために、第１の組の冷却通路１３０および第２の組の冷却通路１４０の少なくとも一部をタービンシュラウド１００内に別個の方法で配置してもよい。例えば、図２５に示すように、第１の組の冷却通路１３０は、本体１０６の第１の側面１１２付近から中央収集プレナム１９４まで本体１０６内に形成、配置、および／または延在してもよい。本明細書で同様に説明するように、第１の組の冷却通路１３０の入口部分１３２は、第１の側面１１２に隣接して配置されてもよい。しかし、図２５に示す非限定的な例では、第１の組の冷却通路１３０の出口部分１３６は、中央収集プレナム１９４に隣接して配置されてもよく、および／または中央収集プレナム１９４と直接流体連通してもよい。その結果、第１の組の冷却通路１３０の中間部分１３８は、本体１０６の第１の側面１１２と第２の側面１１８との間の幅全体にわたって実質的に延在しなくてもよい（例えば、図４を参照）。むしろ、中間部分１３８は、第１の側面１１２に隣接して配置された入口部分１３２と、タービン１００の本体１０６の中央領域１６４内に形成された中央収集プレナム１９４と流体連通する出口部分１３６との間でのみ延在してもよい。
【００８６】
第１の組の冷却通路１３０と同様に、第２の組の冷却通路１４０は、本体１０６の第２の側面１１８付近から中央収集プレナム１９４まで本体１０６内に形成、配置、および／または延在してもよい。非限定的な例では、第２の組の冷却通路１４０の入口部分１４２は、第２の側面１１８に隣接して配置されてもよく、第２の組の冷却通路１４０の出口部分１４６は、中央収集プレナム１９４に隣接して配置されてもよく、かつ／または中央収集プレナム１９４と直接流体連通してもよい。この非限定的な例では、本明細書で説明するように、タービン２８の動作中に、第１の組の冷却通路１３０および第２の組の冷却通路１４０の両方が中央収集プレナム１９４に冷却流体を提供してもよい（図１および図２参照）。
【００８７】
また、図２５〜図２７に示すように、タービンシュラウド１００はまた排出孔１９６を含んでもよい。排出孔１９６は、中央収集プレナム１９４と流体連通してもよい。より具体的には、排出孔１９６は、タービンシュラウド１００の中央収集プレナム１９４と流体連通してもよく、かつそこから軸方向に延在してもよい。図２５〜図２７に示す非限定的な例では、排出孔１９６は、本体１０６を貫通して、タービンシュラウド１００の中央収集プレナム１９４から本体１０６の後端部１１０まで、および／または本体１０６の後端部１１０を貫通して延在してもよい。本明細書で説明する第１の排出孔１５０（図４〜図６を参照）と同様に、排出孔１９６は、タービン２８のステータベーン４０の外側プラットフォーム４２を囲む空間または領域と流体連通してもよい（図２を参照）。動作中、本明細書で説明するように、排出孔１９６は、タービンシュラウド１００の後端部１１０に隣接する中央収集プレナム１９４から、ステータベーン４０の外側プラットフォーム４２を囲む空間または領域に冷却流体を放出することができる。また、本明細書で説明したように、中央収集プレナム１９４と流体連通する排出孔１９６は、中央収集プレナム１９４が所望の内圧を維持することを保証するサイズおよび／または形状を含んでもよい。中央収集プレナム１９４内の所望の内部圧力を維持することにより、冷却通路１３０、１４０によって提供される冷却流体は、中央収集プレナム１９４を連続的に流れ、中央収集プレナム１９４（該当する場合）を介して破損または損傷した冷却通路に提供され、本明細書で説明するように、排出孔１９６から排出されてもよい。
【００８８】
図２８〜図３０は、タービンシュラウド１００の別の非限定的な例の様々な図を示し、第１の側面収集プレナム１２６、第２の側面収集プレナム１２８、および中央収集プレナム１９４を含む。第１の側面収集プレナム１２６、第２の側面収集プレナム１２８、および中央収集プレナム１９４を含むタービンシュラウド１００は、例えば図４〜図６および図２５〜図２７に関して本明細書で説明したものと同様の特徴および構成要素を含んでもよい。これらの特徴と構成要素の冗長な説明は、明確にするために省略されている。
【００８９】
本明細書で説明される非限定的な例とは異なり、図２８〜図３０に示す非限定的な例はまた、第３の組の冷却通路１９８を含んでもよい。第３の組の冷却通路１９８は、図２５〜図２７に関して本明細書に示され説明された第１の組の冷却通路１３０と実質的に同様であってもよい。すなわち、図２８に示すように、第３の組の冷却通路１９８は、本体１０６の第１の側面１１２付近から中央収集プレナム１９４まで本体１０６内に形成、配置、および／または延在してもよい。より具体的には、第３の組の冷却通路１９８のフック形状部分２０２を含む入口部分２００は、本体１０６の第１の側面１１２に隣接して配置されてもよい。加えて、第１の組の冷却通路１３０の入口部分１３２と同様に、第３の組の冷却通路１９８の入口部分２００は、第１の側面収集プレナム１２６に隣接して配置されてもよく、そのようにして、第１の側面収集プレナム１２６が、第３の組の冷却通路１９８の入口部分２００と本体１０６の第１の側面１１２との間に配置される。さらに、第３の組の冷却通路１９８は、本体１０６内に延在する出口部分２０４と、本体１０６内に延在して、入口部分２００と出口部分２０４とを流体結合する中間部分２０６と、を含んでもよい。図２８および図２９に示すように、出口部分２０４は、中央収集プレナム１９４に隣接しておよび／またはそれと直接流体連通して配置されてもよい。非限定的な例では、第３の組の冷却通路１９８、より具体的には出口部分２０４は、本明細書で説明するように、タービン２８（図２参照）の動作中に冷却流体を中央収集プレナム１９４に提供することができる。
【００９０】
図２８〜図３０に示すタービンシュラウド１００はまた、第４の組の冷却通路２０８を含んでもよい。第４の組の冷却通路２０８は、図２５〜図２７に関して本明細書に示され説明された第２の組の冷却通路１４０と実質的に同様であってもよい。第４の組の冷却通路２０８は、本体１０６の隣接する第２の側面１１８から中央収集プレナム１９４まで本体１０６内に形成、配置、および／または延在してもよい。より具体的には、第４の組の冷却通路２０８のフック形状部分２１２を含む入口部分２１０は、本体１０６の第２の側面１１８に隣接して配置されてもよい。さらに、第２の組の冷却通路１４０の入口部分１４２と同様に、第４の組の冷却通路２０８の入口部分２１０は、第２の側面収集プレナム１２８に隣接して配置されてもよく、および／または第２の側面収集プレナム１２８は、第４の組の冷却通路２０８の入口部分２１０と本体１０６の第２の側面１１８との間に配置されてもよい。さらに、第４の組の冷却通路２０８は、本体１０６内に延在する出口部分２１４と、本体１０６内に延在して、入口部分２１０と出口部分２１４とを流体結合する中間部分２１６と、を含んでもよい。図２８および図３０の非限定的に示すように、出口部分２１４はまた、中央収集プレナム１９４に隣接しておよび／またはそれと直接流体連通して配置されてもよい。非限定的な例では、第４の組の冷却通路２０８、より具体的には出口部分２１４は、本明細書で説明するように、タービン２８（図２参照）の動作中に中央収集プレナム１９４に冷却流体を提供することができる。
【００９１】
また、本明細書で説明する非限定的な例と異なり、第１の組の冷却通路１３０および第２の組の冷却通路１４０の冷却通路は、異なる方法で本体１０６内に配置、形成、および／または延在してもよい。図２９および図３０に示すように、第１の組の冷却通路１３０の各冷却通路の中間部分１３８、および第２の組の冷却通路１４０の各冷却通路の中間部分１４８は、中央収集プレナム１９４の半径方向下方の本体１０６内に延在してもよい。より具体的には、第１の組の冷却通路１３０の中間部分１３８および第２の組の冷却通路１４０の中間部分１４８は、本体１０６の内面１２４と中央収集プレナム１９４との間で本体１０６内に延在してもよい。本体１０６の内面１２４と中央収集プレナム１９４との間の本体１０６内に延在することにより、中間部分１３８は、冷却流体を第１の側面１１２に隣接する入口部分１３２から出口部分１３６および／または第２の側面１１８に隣接する第２の側面収集プレナム１２８に送ることができる。同様に、中間部分１４８は、冷却流体を、第２の側面１１８に隣接して配置された入口部分１４２から出口部分１４６および／または第１の側面１１２に隣接して配置された第１の側面収集プレナム１２６に送ることができる。
【００９２】
図３１は、図１のガスタービンシステム１０のタービン２８のタービンシュラウド１００の別の非限定的な例の上面図を示す。同様の符号を付したおよび／または名前を付けた構成要素は、実質的に同様に機能し得ることが理解される。これらの構成要素の冗長な説明は、明確化のために省略されている。
【００９３】
非限定的な例では、タービンシュラウド１００は、隣接する第１の側面１１２から隣接する第２の側面１１８まで本体１０６内に延在する少なくとも１つの収集プレナムを含んでもよい。図３１に示す非限定的な例では、タービンシュラウド１００は、前方収集プレナム２１８を含んでもよい。前方収集プレナム２１８は、本体１０６内で、隣接する第１の側面１１２から隣接する第２の側面１１８まで延在してもよい。加えて、前方収集プレナム２１８は、本体１０６の前端部１０８に隣接するおよび／または実質的に平行な本体１０６内に延在してもよい。前方収集プレナム２１８は、本明細書で同様に説明するように（例えば、第１の側面収集プレナム１２６；図５）、本体１０６の外面１２０と内面１２４との間で本体１０６内に延在してもよい。
【００９４】
図３１に示すタービンシュラウド１００はまた、後方収集プレナム２２０を含んでもよい。後方収集プレナム２２０は、本体１０６内で、隣接する第１の側面１１２から隣接する第２の側面１１８まで延在してもよい。加えて、後方収集プレナム２２０は、本体１０６の後端部１１０に隣接するおよび／または実質的に平行な本体１０６内に延在してもよい。前方収集プレナム２１８と同様に、後方収集プレナム２２０は、本明細書で同様に説明されるように（例えば、第１の側面収集プレナム１２６；図５）、本体１０６の外面１２０と内面１２４との間で本体１０６内に延在してもよい。
【００９５】
タービンシュラウド１００はまた、隣接する第１の側面１１２から隣接する第２の側面１１８まで本体１０６内に延在する中間収集プレナム２２２を含んでもよい。図３１に示す非限定的な例では、中間収集プレナム２２２は、前方収集プレナム２１８と後方収集プレナム２２０との間で、それらから離れて本体１０６内に延在してもよい。加えて、中間収集プレナム２２２は、本体１０６の前端部１０８と後端部１１０との間で本体１０６内に延在してもよく、かつそれらと実質的に平行に延在してもよい。
【００９６】
図３１に示すタービンシュラウド１００はまた、複数の組の冷却通路を含んでもよい。より具体的には、タービンシュラウド１００は、第１の組の冷却通路１３０、第２の組の冷却通路１４０、第３の組の冷却通路１９８、および第４の組の冷却通路２０８を含んでもよい。図３１の非限定的な例に示す複数の組の冷却通路１３０、１４０、１９８、２０８は、タービンシュラウド１００の別個の部分に配向および／または配置された、本明細書で説明するもの（例えば、入口部分、出口部分、中間部分）と同様の特徴を含んでもよい。例えば、図３１に示すように、第１の組の冷却通路１３０は、本体１０６の隣接する前端部１０８から隣接する後端部１１０まで本体１０６内に延在してもよい。したがって、第１の組の冷却通路１３０の入口部分１３２は、前端部１０８および／または前方収集プレナム２１８に隣接して配置されてもよく、そのようにして、前方収集プレナム２１８が、本体１０６の前端部１０８と第１の組の冷却通路１３０の出口部分１３６との間に配置されまたは延在する。さらに、第１の組の冷却通路１３０の出口部分１３６は、本体１０６の後端部１１０に隣接して配置されてもよく、後方収集プレナム２２０と流体連通してもよい。
【００９７】
また、図３１に示すように、第２の組の冷却通路１４０は、本体１０６の隣接する後端部１１０から隣接する前端部１０８まで本体１０６内に延在してもよい。したがって、第２の組の冷却通路１４０の入口部分１４２は、後端部１１０および／または後方収集プレナム２２０に隣接して配置されてもよく、そのようにして、後方収集プレナム２２０が、本体１０６の後端部１１０と第２の組の冷却通路１４０の出口部分１４６との間に配置されまたは延在する。第２の組の冷却通路１４０の出口部分１４６は、本体１０６の前端部１０８に隣接して配置されてもよく、前方収集プレナム２１８と流体連通してもよい。
【００９８】
図２８〜図３０に関して本明細書で説明する非限定的な例と同様に、第１の組の冷却通路１３０の各冷却通路の中間部分１３８、および図３１に示す第２の組の冷却通路１４０の各冷却通路の中間部分１４８は、中間収集プレナム２２２の半径方向下方の本体１０６内に延在してもよい。より具体的には、第１の組の冷却通路１３０の中間部分１３８および第２の組の冷却通路１４０の中間部分１４８は、本体１０６の内面１２４と中間収集プレナム２２２との間で本体１０６内に延在してもよい。
【００９９】
第３の組の冷却通路１９８は、本体１０６の隣接する前端部１０８から中間収集プレナム２２２まで本体１０６内に形成、配置、および／または延在してもよい。より具体的には、第３の組の冷却通路１９８のフック形状部分２０２を含む入口部分２００は、本体１０６の前端部１０８および前方収集プレナム２１８に隣接して配置されてもよい。したがって、前方収集プレナム２１８は、第３の組の冷却通路１９８の入口部分２００と本体１０６の前端部１０８との間に配置されてもよい。さらに、第３の組の冷却通路１９８は、本体１０６内に延在する出口部分２０４と、本体１０６内に延在して、入口部分２００と出口部分２０４とを流体結合する中間部分２０６と、を含んでもよい。図３１に示すように、出口部分２０４は、中間収集プレナム２２２に隣接しておよび／またはそれと直接流体連通して配置されてもよい。非限定的な例では、第３の組の冷却通路１９８、より具体的には出口部分２０４は、本明細書で説明するように、タービン２８（図２参照）の動作中に中間収集プレナム２２２に冷却流体を提供することができる。
【０１００】
図３１に示すタービンシュラウド１００の非限定的な例はまた、本体１０６の隣接する後端部１１０から中間収集プレナム２２２まで本体１０６内に形成、配置、および／または延在する第４の組の冷却通路２０８を含んでもよい。より具体的には、第４の組の冷却通路２０８のフック形状部分２１２を含む入口部分２１０は、本体１０６の後端部１１０に隣接して配置されてもよい。さらに、第２の組の冷却通路１４０の入口部分１４２と同様に、第４の組の冷却通路２０８の入口部分２１０は、後方収集プレナム２２０に隣接して配置されてもよく、そのようにして、後方収集プレナム２２０が、第４の組の冷却通路２０８の入口部分２１０と本体１０６の後端部１１０との間に配置され得る。さらに、第４の組の冷却通路２０８は、本体１０６内に延在する出口部分２１４と、本体１０６内に延在して、入口部分２１０と出口部分２１４とを流体結合する中間部分２１６と、を含んでもよい。図３１の非限定的に示すように、出口部分２１４は、中間収集プレナム２２２に隣接しておよび／またはそれと直接流体連通して配置されてもよい。非限定的な例では、第４の組の冷却通路２０８、より具体的には出口部分２１４は、本明細書で説明するように、タービン２８（図２参照）の動作中に中間収集プレナム２２２に冷却流体を提供することができる。
【０１０１】
図３１に示す非限定的な例では、前方収集プレナム２１８、後方収集プレナム２２０、および中間収集プレナム２２２の各々は、複数の排出孔を含んでもよい。より具体的には、前方収集プレナム２１８は、本体１０６の前端部１０８を貫通して形成された複数の排出孔２２４を含んでもよい。非限定的な例では、本体１０６の前端部１０８を貫通して形成された複数の排出孔２２４は、タービンシュラウド１００の軸方向上流に配置することができるタービン２８（図２を参照）のステータベーンの外側プラットフォーム（例えば、外側プラットフォーム４２、ステータベーン４０）を囲む空間または領域と流体連通してもよい。動作中、本明細書で説明するように、複数の排出孔２２４は、タービンシュラウド１００の前端部１０８に隣接する前方収集プレナム２１８から、タービンシュラウド１００の軸方向上流に位置するステータベーンの外側プラットフォームを囲む空間または領域へ、冷却流体を放出することができる。
【０１０２】
さらに、後方収集プレナム２２０は、本体１０６の後端部１１０を貫通して形成された複数の排出孔２２６を含んでもよい。複数の排出孔２２６は、タービン２８のステータベーン４０の外側プラットフォーム４２を囲む空間または領域と流体連通してもよい（図２を参照）。動作中、本明細書で説明するように、複数の排出孔２２６は、タービンシュラウド１００の後端部１１０に隣接する後方収集プレナム２２０から、ステータベーン４０の外側プラットフォーム４２を囲む空間または領域に冷却流体を放出することができる。複数の排出孔２２６を介して後方収集プレナム２２０から排出される冷却流体は、シュラウド１００と燃焼ガス２６のステータベーン４０の外側プラットフォーム４２との間の隙間（Ｇ）をパージしてもよく（図２参照）、かつ／あるいはステータベーン４０の外側プラットフォーム４２に交差して、外側プラットフォーム４２の冷却および／または漏れとして使用されてもよい。
【０１０３】
中間収集プレナム２２２は、本体１０６の第１の側面１１２および第２の側面１１８をそれぞれ貫通して形成された複数の排出孔２２８を含んでもよい。中間収集プレナム２２２の複数の排出孔２２８は、本体１０６の第１の側面１１２および第２の側面１１８の各々を貫通して形成された少なくとも１つの排出孔２２８を含んでもよい。非限定的な例では、本体１０６の第１の側面１１２および第２の側面１１８に形成された複数の排出孔２２８は、タービン２８の円周方向に隣接するタービンシュラウド間の空間または領域と流体連通してもよい（図２参照）。動作中、本明細書で説明するように、複数の排出孔２２８は、タービンシュラウド１００の第１の側面１１２および第２の側面１１８にそれぞれ隣接する中間収集プレナム２２２から、円周方向に隣接するタービンシュラウド間に配置された空間または領域に冷却流体を放出することができる。複数の排出孔２２８を介して中間収集プレナム２２２から排出される冷却流体は、円周方向に隣接するタービンシュラウドに含まれるシール（図示せず）の上方または下方の空間または領域に排出されてもよい。
【０１０４】
図３２および図３３は、図３１に示すタービンシュラウド１００の非限定的な例に類似することができるタービンシュラウド１００の別個の非限定的な例の上面図を示す。例えば、図３２は、前方収集プレナム２１８および後方収集プレナム２２０のみを含むタービンシュラウド１００の非限定的な例を示している。この非限定的な例では、タービンシュラウド１００は、第１の組の冷却通路１３０、第２の組の冷却通路１４０、前方収集プレナム２１８と流体連通する複数の排出孔２２４、および後方収集プレナム２２０と流体連通する複数の排出孔２２６のみを含んでもよい。図３３に示す非限定的な例では、タービンシュラウド１００は中間収集プレナム２２２のみを含んでもよい。この非限定的な例では、タービンシュラウド１００は、第３の組の冷却通路１９８、第４の組の冷却通路２０８、および中間収集プレナム２２２と流体連通する複数の排出孔２２８のみを含んでもよい。
【０１０５】
３つの収集プレナム２１８、２２０、２２２（図３１）、２つの収集プレナム２１８、２２０（図３２）、または中間収集プレナム２２２（図３３）を含むように示されているが、タービンシュラウド１００は、その中に形成され、タービンシュラウド１００の側面１１２、１１８の間に延在するプレナムの任意の組み合わせまたは数を含んでもよいことが理解される。例えば（図示せず）、タービンシュラウド１００は、後方収集プレナム２２０のみを含んでもよい。タービンシュラウド１００が後方収集プレナム２２０のみを含む非限定的な例では、タービンシュラウド１００は、後方収集プレナム２２０と複数の排出孔２２６と流体連通する第１の組の冷却通路１３０のみを含んでもよい。
【０１０６】
本発明の技術的効果には、例えば、タービンシュラウド内で追加の冷却を提供するためにタービンの複数の冷却通路を通って流れる冷却流体を使用できる少なくとも１つの収集プレナムを含むタービンシュラウドを提供することが含まれる。動作中、さらなる技術的効果には、タービンシュラウドを使用してタービンシステムの異なる部分に冷却流体を排出することが含まれる。
【０１０７】
本明細書で使用される専門用語は、単に特定の実施形態を説明するためのものにすぎず、本開示を限定するものではない。本明細書で使用する場合、単数形「１つの（ａ）」、「１つの（ａｎ）」および「この（ｔｈｅ）」は、特に明示しない限り、複数形も含むことが意図される。「含む（ｃｏｍｐｒｉｓｅ）」および／または「含んでいる（ｃｏｍｐｒｉｓｉｎｇ）」という用語は、本明細書で使用する場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加することを除外しないことがさらに理解されよう。「任意の（ｏｐｔｉｏｎａｌ）」または「任意に（ｏｐｔｉｏｎａｌｌｙ）」は、続いて記載された事象または状況が生じてもよいし、また生じなくてもよいことを意味し、かつ、その説明が、事象が起こる場合と、事象が起こらない場合と、を含むことを意味する。
【０１０８】
本明細書および特許請求の範囲を通してここで使用される、近似を表す文言は、関連する基本的機能に変化をもたらすことなく、差し支えない程度に変動できる任意の量的表現を修飾するために適用することができる。したがって、「およそ」、「約」および「実質的に」などの用語で修飾された値は、明記された厳密な値に限定されるものではない。少なくともいくつかの例では、近似を表す文言は、値を測定するための機器の精度に対応することができる。ここで、ならびに本明細書および特許請求の範囲を通して、範囲の限定は組み合わせおよび／または置き換えが可能であり、文脈および文言が特に指示しない限り、このような範囲は識別され、それに包含されるすべての部分範囲を含む。範囲の特定の値に適用される「約」は、両方の値に適用され、値を測定する機器の精度に特に依存しない限り、記載された値の＋／−１０％を示すことができる。
【０１０９】
下記の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図されていない。多くの変更および変形は、本開示の範囲および趣旨から逸脱することなく、当業者には明らかであろう。本開示の原理および実際の応用を最もよく説明し、想定される特定の使用に適するように様々な変更を伴う様々な実施形態の開示を他の当業者が理解できるようにするために、実施形態を選択し説明した。
【符号の説明】
【０１１０】
１０  ガスタービンシステム
１２  圧縮機
１８  空気
２０  圧縮空気
２２  燃焼器
２４  燃料
２６  燃焼ガス
２８  タービン
３０  ロータ
３２  外部負荷
３４  排気フレーム
３６  タービンケーシング
３８  タービンブレード
４０  ステータベーン
４２  外側プラットフォーム
４４  内側プラットフォーム
４５  翼形部
４６  翼形部
４８  先端部分
５０  結合構成要素
１００  タービンシュラウド、タービン
１０２  第１のフック
１０４  第２のフック
１０６  単一本体
１０８  前端部
１１０  後端部
１１２  第１の側面
１１８  第２の側面
１２０  外面
１２２  冷却チャンバ
１２４  内面
１２６  第１の側面収集プレナム
１２８  第２の側面収集プレナム
１３０  第１の組の冷却通路
１３０Ａ  冷却通路、第１のグループ
１３０Ｂ  第２のグループ
１３２  入口部分
１３４  フック形状部分
１３６  出口部分、出口
１３６Ａ  出口部分
１３６Ｂ  出口部分
１３８  中間部分
１４０  第２の組の冷却通路
１４０Ａ  第１のグループ、冷却通路
１４０Ｂ  第２のグループ
１４２  入口部分
１４４  フック形状部分
１４６  出口部分
１４６Ａ  出口部分
１４６Ｂ  出口部分
１４８  中間部分
１５０  第１の排出孔
１５０Ａ  第１の排出孔
１５０Ｂ  第１の排出孔
１５２  第２の排出孔
１５２Ａ  第２の排出孔
１５２Ｂ  第２の排出孔
１５４  損傷開口部
１５６  部分
１５８  部分
１６０  ターン部分
１６２  ターン部分
１６４  中央領域
１６６  結合導管
１６８  補助排出孔
１７０  蛇行導管
１７２  第１の壁
１７４  外側部分
１７６  内側部分
１７８  第２の壁
１８０  外側部分
１８２  内側部分
１８４  前方部分
１８６  後方部分
１８８  前方部分
１９０  後方部分
１９２  支持ピン
１９４  中央収集プレナム
１９６  排出孔
１９８  第３の組の冷却通路
２００  入口部分
２０２  フック形状部分
２０４  出口部分
２０６  中間部分
２０８  第４の組の冷却通路
２１０  入口部分
２１２  フック形状部分
２１４  出口部分
２１６  中間部分
２１８  前方収集プレナム
２２０  後方収集プレナム
２２２  中間収集プレナム
２２４  排出孔
２２６  排出孔
２２８  排出孔
【図１】
2020076404.tif 000003
【図２】
2020076404.tif 000004
【図３】
2020076404.tif 000005
【図４】
2020076404.tif 000006
【図５】
2020076404.tif 000007
【図６】
2020076404.tif 000008
【図７】
2020076404.tif 000009
【図８】
2020076404.tif 000010
【図９】
2020076404.tif 000011
【図１０】
2020076404.tif 000012
【図１１】
2020076404.tif 000013
【図１２】
2020076404.tif 000014
【図１３】
2020076404.tif 000015
【図１４】
2020076404.tif 000016
【図１５】
2020076404.tif 000017
【図１６】
2020076404.tif 000018
【図１７】
2020076404.tif 000019
【図１８】
2020076404.tif 000020
【図１９】
2020076404.tif 000021
【図２０】
2020076404.tif 000022
【図２１】
2020076404.tif 000023
【図２２】
2020076404.tif 000024
【図２３】
2020076404.tif 000025
【図２４】
2020076404.tif 000026
【図２５】
2020076404.tif 000027
【図２６】
2020076404.tif 000028
【図２７】
2020076404.tif 000029
【図２８】
2020076404.tif 000030
【図２９】
2020076404.tif 000031
【図３０】
2020076404.tif 000032
【図３１】
2020076404.tif 000033
【図３２】
2020076404.tif 000034
【図３３】
2020076404.tif 000035
【外国語明細書】
2020076404000001.pdf
2020076404000002.pdf
2020076404000003.pdf
2020076404000004.pdf